(57)【要約】      （修正有）【課題】ワイアレス同報通信ネットワークにおけるローカル送信及びワイド・エリア送信する方法の提供。【解決手段】ワイアレス同報通信ネットワークにおいて交信可能範囲の異なる階層を有する異なるタイプの送信を同報通信するために、各基地局は、第１のモード（又はコーディング・スキーム及び変調スキーム）にしたがってワイド・エリア送信のためのデータを処理し、第２のモードにしたがってローカル送信のためのデータを処理する。第１のモード及び第２のモードは、それぞれワイド・エリア送信及びローカル送信のための所望の交信可能範囲に基づいて選択される。基地局は、それぞれ多重周波数ネットワーク及び単一ネットワークの異なる特性に基づいて、ローカル送信及びワイド・エリア送信、及びこれらに関係するパイロットを同報通信する。【選択図】図８
2010226735.tif 000002
【特許請求の範囲】
【請求項１】
ワイアレス同報通信ネットワークにおいてデータを同報通信する方法であって、該方法は下記を具備する：
第１の送信スパン上へとワイド・エリア送信のためのデータをマルチプレキシングすること、該ワイド・エリア送信は該ネットワーク内の複数の送信機から送られる；
第２の送信スパン上へとローカル送信のためのデータをマルチプレキシングすること、該ローカル送信は該複数の送信機のサブセットから送られる；及び
ワイアレス・リンクを介して該ローカル送信及びワイド・エリア送信を同報通信すること。
【請求項２】
請求項１の方法、ここにおいて、異なるローカル送信は、該複数の送信機の異なるサブセットから送られる。
【請求項３】
請求項１の方法、ここにおいて、異なるワイド・エリア送信は、異なる複数の送信機から送られる。
【請求項４】
請求項１の方法であって、下記をさらに具備する：
第３の送信スパン上へとヴェニュー送信のためのデータをマルチプレキシングすること、該ヴェニュー送信は該複数の送信機の該サブセットのより小さなサブセットから送られる。
【請求項５】
請求項１の方法、ここにおいて、該ワイド・エリア送信のための該データは、該ローカル送信のための該データを用いて時間分割マルチプレックス（ＴＤＭ）される、そしてここにおいて、該第１の送信スパン及び第２の送信スパンは、予め決められた時間期間のフレームのそれぞれ第１の時間セグメント及び第２の時間セグメントである。
【請求項６】
請求項１の方法、ここにおいて、該ワイド・エリア送信のための該データは、該ローカル送信のための該データを用いて周波数分割マルチプレックス（ＦＤＭ）される、そしてここにおいて、該第１の送信スパン及び第２の送信スパンは、多重キャリア変調を用いて取得されたそれぞれ第１の周波数サブバンドのセット及び第２の周波数サブバンドのセットである。
【請求項７】
請求項１の方法、ここにおいて、ワイアレス同報通信ネットワークは、直交周波数分割マルチプレキシング（ＯＦＤＭ）を利用する。
【請求項８】
請求項７の方法、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含み、そしてここにおいて、第２の送信スパンは、フレームの第２の時間セグメント中のデータ送信のために使用可能な全ての周波数サブバンドを含む。
【請求項９】
請求項８の方法、ここにおいて、該ローカル送信のための該データは、干渉を減少させるために全ての使用可能な周波数サブバンドよりも少ないサブバンド上へとマルチプレックスされる。
【請求項１０】
請求項９の方法、ここにおいて、該複数の送信機の該サブセットからの該ローカル送信のための該データは、該複数の送信機の少なくとも１つの別のサブセットによって使用された周波数サブバンドに直交する周波数サブバンド上へとマルチプレックスされる。
【請求項１１】
請求項９の方法、ここにおいて、該ローカル送信のための該データは、使用可能な全ての周波数サブバンドの中から擬似ランダムに選択された周波数サブバンド上へとマルチプレックスされる。
【請求項１２】
請求項１の方法であって、下記をさらに具備する：
第１のコーディング・スキーム及び変調スキームにしたがって該ワイド・エリア送信のための該データを処理すること、ここにおいて、該ワイド・エリア送信のために該処理されたデータは、該第１の送信スパン上へとマルチプレックスされる；及び
第２のコーディング・スキーム及び変調スキームにしたがって該ローカル送信のための該データを処理すること、ここにおいて、該ローカル送信のために該処理されたデータは、該第２の送信スパン上へとマルチプレックスされる。
【請求項１３】
請求項１２の方法、ここにおいて、該第１のコーディング・スキーム及び第２のコーディング・スキーム及び該第１の変調スキーム及び第２の変調スキームは、それぞれ該ワイド・エリア送信及びローカル送信に対する所望の交信可能範囲に基づいて選択される。
【請求項１４】
請求項１２の方法、ここにおいて、該第２のコーディング・スキーム及び変調スキームは、該ローカル送信に対する交信可能範囲を拡張するために該第１のコーディング・スキーム及び変調スキームよりも低いスペクトル効率を有する。
【請求項１５】
請求項１２の方法、ここにおいて、該第１のコーディング・スキーム及び変調スキームは、該第２のコーディング・スキーム及び変調スキームよりも低いスペクトル効率を有する。
【請求項１６】
請求項１の方法であって、下記をさらに具備する：
その送信においてデータが送られる該送信及びデータ・タイプに基づいて該ワイド・エリア送信及びローカル送信のための該データを処理すること。
【請求項１７】
請求項１の方法であって、下記をさらに具備する：
第３の送信スパン上へと第１のパイロットをマルチプレキシングすること、該第１のパイロットは該ワイド・エリア送信に対する第１のチャネル推定値を導出するために適している；及び
第４の送信スパン上へと第２のパイロットをマルチプレキシングすること、該第２のパイロットは、該ローカル送信に対する第２のチャネル推定値を導出するために適している。
【請求項１８】
請求項１７の方法、ここにおいて、第１のパイロット及び第２のパイロットは、それぞれ異なるシンボル・ピリオド中の周波数サブバンドの異なるセット上へとマルチプレックスされる。
【請求項１９】
請求項８の方法であって、下記をさらに具備する：
第１の時間セグメントの異なるシンボル・ピリオド中のパイロット送信のために使用される周波数サブバンドの異なるセット上へと第１のパイロットをマルチプレキシングすること、該第１のパイロットは該ワイド・エリア送信に関する第１のチャネル推定値を導出するために適している；及び
第２の時間セグメントの異なるシンボル・ピリオド中のパイロット送信のために使用される周波数サブバンドの異なるセット上へと第２のパイロットをマルチプレキシングすること、該第２のパイロットは該ローカル送信に関する第２のチャネル推定値を導出するために適している。
【請求項２０】
請求項１７の方法であって、下記をさらに具備する：
該複数の送信機の該サブセットに指定された直交シーケンスを用いて該第２のパイロットを発生させること、ここにおいて、該複数の送信機の該サブセットに対する該第２のパイロットは、該複数の送信機の少なくとも１つの他のサブセットに対する少なくとも１つの他の第２のパイロットに直交する。
【請求項２１】
請求項１７の方法であって、下記をさらに具備する：
該複数の送信機の該サブセットに指定された擬似ランダム・シーケンスを用いて該第２のパイロットを発生させること、ここにおいて、該複数の送信機の該サブセットに対する該第２のパイロットは、該複数の送信機の少なくとも１つの他のサブセットに対する少なくとも１つの他の第２のパイロットに関して擬似ランダムである。
【請求項２２】
請求項１７の方法であって、下記をさらに具備する：
スケーリングされたシンボルを得るために該複数の送信機の該サブセットに指定された擬似ランダム・シーケンスと異なる周波数サブバンドに対する変調シンボルとを掛け算すること、ここにおいて、該擬似ランダム・シーケンスは、各シンボル・ピリオドに対して使用される；及び
該第２のパイロットを発生させるために該複数の送信機の該サブセットに指定された直交シーケンスと異なる周波数サブバンドに対する該スケーリングされたシンボルとを掛け算すること、ここにおいて、該複数の送信機の該サブセットに対する該第２のパイロットは、該複数の送信機の少なくとも１つの他のサブセットに対する少なくとも１つの他の第２のパイロットに関して周波数において擬似ランダムでありそして時間において直交する。
【請求項２３】
請求項１の方法であって、下記をさらに具備する：
第３の送信スパン上へと該ワイド・エリア送信に関するオーバーヘッド情報をマルチプレキシングすること；及び
第４の送信スパン上へと該ローカル送信に関するオーバーヘッド情報をマルチプレキシングすること。
【請求項２４】
請求項２３の方法、ここにおいて、該ワイド・エリア送信に関する該オーバーヘッド情報は、該ワイド・エリア送信に対する各データ・チャネルの周波数及び時間位置を指示する、及びここにおいて、該ローカル送信に関する該オーバーヘッド情報は、該ローカル送信に対する各データ・チャネルの周波数及び時間位置を指示する
【請求項２５】
請求項１の方法であって、下記をさらに具備する：
該ワイド・エリア送信を同報通信するためのデータの量及び該ローカル送信を同報通信するためのデータの量に基づいて該第１の送信スパン及び第２の送信スパンを選択すること。
【請求項２６】
請求項１の方法であって、下記をさらに具備する：
１日の時間に基づいて該第１の送信スパン及び第２の送信スパンを調節すること。
【請求項２７】
請求項１の方法であって、下記をさらに具備する：
予め決められた計画に基づいて該第１の送信スパン及び第２の送信スパンを調節すること。
【請求項２８】
ワイアレス同報通信ネットワーク内の装置であって、該装置は下記を具備する：
第１の送信スパン上へとワイド・エリア送信のためのデータを適切に受信するためそしてマルチプレックスするため、及び第２の送信スパン上へとローカル送信のためのデータを適切に受信するためそしてマルチプレックスするためのマルチプレクサ、該ワイド・エリア送信は該ネットワーク内の複数の送信機から送られる、及び該ローカル送信は該複数の送信機のサブセットから送られる；及び
ワイアレス・リンクを介して該ローカル送信及びワイド・エリア送信を適切に同報通信するための送信機ユニット。
【請求項２９】
請求項２８の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項３０】
請求項２８の装置であって、下記をさらに具備する：
第１のコーディング・スキーム及び変調スキームにしたがって該ワイド・エリア送信のための該データを適切に処理するための第１のデータ・プロセッサ；及び  
第２のコーディング・スキーム及び変調スキームにしたがって該ローカル送信のための該データを適切に処理するための第２のデータ・プロセッサ、そして
ここにおいて、該マルチプレクサは、第１の送信スパン上へと該ワイド・エリア送信のために該処理されたデータを適切にマルチプレックスし、及び第２の送信スパン上へと該ローカル送信のために該処理されたデータを適切にマルチプレックスする。
【請求項３１】
請求項３０の装置、ここにおいて、該第１のデータ・プロセッサは、さらに、該ワイド・エリア送信に対する第１のチャネル推定値を導出するために適している第１のパイロットを適切に発生させる、ここにおいて、該第２のデータ・プロセッサは、さらに該ローカル送信に対する第２のチャネル推定値を導出するために適している第２のパイロットを適切に発生させる、そしてここにおいて、該マルチプレクサは、さらに第１のパイロットを第３の送信スパン上へと適切にマルチプレックスし、そして該第２のパイロットを第４の送信スパン上へと適切にマルチプレックスする。
【請求項３２】
請求項２８の装置、ここにおいて、該マルチプレクサは、さらに、該ワイド・エリア送信に関するオーバーヘッド情報を第３の送信スパンへと適切にマルチプレックスし、そして該ローカル送信に関するオーバーヘッド情報を第４の送信スパンへと適切にマルチプレックスする。
【請求項３３】
請求項２８の装置であって、下記をさらに具備する：
該ワイド・エリア送信を同報通信するためのデータの量及び該ローカル送信を同報通信するためのデータの量に基づいて該第１の送信スパン及び第２の送信スパンを適切に選択するためのコントローラ。
【請求項３４】
ワイアレス同報通信ネットワーク内の装置であって、該装置は下記を具備する：
第１の送信スパン上へとワイド・エリア送信のためのデータをマルチプレックスするための手段、該ワイド・エリア送信は該ネットワーク内の複数の送信機から送られる；
第２の送信スパン上へとローカル送信のためのデータをマルチプレックスするための手段、該ローカル送信は該複数の送信機のサブセットから送られる；及び
リンクを介して該ローカル送信及びワイド・エリア送信のためにマルチプレックスされたデータを同報通信するための手段。
【請求項３５】
請求項３４の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項３６】
請求項３４の装置であって、下記をさらに具備する：
第１のコーディング・スキーム及び変調スキームにしたがって該ワイド・エリア送信のための該データを処理するための手段、ここにおいて、該ワイド・エリア送信のために該処理されたデータは、第１の送信スパン上へとマルチプレックスされる；及び
第２のコーディング・スキーム及び変調スキームにしたがって該ローカル送信のための該データを処理するための手段、ここにおいて、該ローカル送信のために該処理されたデータは、第２の送信スパン上へとマルチプレックスされる。
【請求項３７】
請求項３４の装置であって、下記をさらに具備する：
第３の送信スパン上へと第１のパイロットをマルチプレキシングするための手段、該第１のパイロットは該ワイド・エリア送信に対する第１のチャネル推定値を導出するために適している；及び
第４の送信スパン上へと第２のパイロットをマルチプレキシングするための手段、該第２のパイロットは該ローカル送信に対する第２のチャネル推定値を導出するために適している。
【請求項３８】
請求項３４の装置であって、下記をさらに具備する：
第３の送信スパン上へと該ワイド・エリア送信に関するオーバーヘッド情報をマルチプレキシングするための手段；及び
第４の送信スパン上へと該ローカル送信に関するオーバーヘッド情報をマルチプレキシングするための手段。
【請求項３９】
請求項３４の装置であって、下記をさらに具備する：
該ワイド・エリア送信を同報通信するためのデータの量及び該ローカル送信を同報通信するためのデータの量に基づいて該第１の送信スパン及び第２の送信スパンを選択するための手段。
【請求項４０】
ワイアレス同報通信ネットワークにおいてデータを受信する方法であって、該方法は下記を具備する：
ワイド・エリア送信及びローカル送信からなる同報通信送信をワイアレス・リンクを介して受信すること、該ワイド・エリア送信は該ネットワーク内の複数の送信機から送られる、そして該ローカル送信は該複数の送信機のサブセットから送られる；
該ワイド・エリア送信が受信される場合に、第１の送信スパンから該ワイド・エリア送信のための該データをデマルチプレキシングすること；及び
該ローカル送信が受信される場合に、第２の送信スパンから該ローカル送信のための該データをデマルチプレキシングすること。
【請求項４１】
請求項４０の方法、ここにおいて、該ワイド・エリア送信のための該データは、該ローカル送信のための該データを用いて周波数分割マルチプレックス（ＦＤＭ）される、そしてここにおいて、該第１の送信スパン及び第２の送信スパンは、多重キャリア変調を用いて取得されたそれぞれ第１の周波数サブバンドのセット及び第２の周波数サブバンドのセットである。
【請求項４２】
請求項４０の方法、ここにおいて、該ワイド・エリア送信のための該データは、該ローカル送信のための該データを用いて時間分割マルチプレックス（ＴＤＭ）される、そしてここにおいて、該第１の送信スパン及び第２の送信スパンは、フレームのそれぞれ第１の時間セグメント及び第２の時間セグメントである。
【請求項４３】
請求項４２の方法、ここにおいて、該ワイド・エリア送信のための該第１の時間セグメントは、該ローカル送信のための該第２の時間セグメントの前である。
【請求項４４】
請求項４０の方法、ここにおいて、該ワイアレス同報通信ネットワークは、直交周波数分割マルチプレキシング（ＯＦＤＭ）を利用する。
【請求項４５】
請求項４４の方法、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含み、そしてここにおいて、第２の送信スパンは、フレームの第２の時間セグメント中のデータ送信のために使用可能な全ての周波数サブバンドを含む。
【請求項４６】
請求項４０の方法であって、下記をさらに具備する：
該ワイド・エリア送信が受信される場合に、第１の復調スキーム及びデコーディング・スキームにしたがって該ワイド・エリア送信のための該データを処理すること；及び
該ローカル送信が受信される場合に、第２の復調スキーム及びデコーディング・スキームにしたがって該ローカル送信のための該データを処理すること。
【請求項４７】
請求項４０の方法であって、下記をさらに具備する：
該ワイド・エリア送信が受信される場合に、第３の送信スパンから該ワイド・エリア送信に関するオーバーヘッド情報をデマルチプレキシングすること；及び
該ローカル送信が受信される場合に、第２の送信スパンから該ローカル送信に関するオーバーヘッド情報をデマルチプレキシングすること。
【請求項４８】
請求項４７の方法、ここにおいて、該ワイド・エリア送信に関する該オーバーヘッド情報は、該ワイド・エリア送信に対する各データ・チャネルの周波数及び時間位置を指示する、そしてここにおいて、該ローカル送信に関する該オーバーヘッド情報は、該ローカル送信に対する各データ・チャネルの周波数及び時間位置を指示する。
【請求項４９】
請求項４０の方法であって、下記をさらに具備する：
該ワイド・エリア送信が受信される場合に、
第３の送信スパンから第１のパイロットをデマルチプレキシングすること、
該第１のパイロットに基づいて該ワイド・エリア送信に対する第１のチャネル推定値を導出すること、及び
該第１のチャネル推定値を用いて該ワイド・エリア送信のための該データを処理すること。
【請求項５０】
請求項４９の方法であって、下記をさらに具備する：
該ローカル送信が受信される場合に、
第４の送信スパンから第２のパイロットをデマルチプレキシングすること、
該第２のパイロットに基づいて該ローカル送信に対する第２のチャネル推定値を導出すること、及び
該第２のチャネル推定値を用いて該ローカル送信のための該データを処理すること。
【請求項５１】
請求項５０の方法、ここにおいて、第１のチャネル推定値及び第２のチャネル推定値は、異なる長さを有する第１のインパルス応答推定値及び第２のインパルス応答推定値にそれぞれ関係付けられる。
【請求項５２】
請求項５１の方法であって、下記をさらに具備する：
第１の予め決められたしきい値より低い該第１のインパルス応答推定値のチャネル・タップをゼロにするスレショルディング（thresholding）を実行すること；及び
第２の予め決められたしきい値より低い該第２のインパルス応答推定値のチャネル・タップをゼロにするスレショルディングを実行すること。
【請求項５３】
請求項５２の方法、ここにおいて、該第１の予め決められたしきい値は、該第２の予め決められたしきい値に等しい。
【請求項５４】
請求項５０の方法であって、下記をさらに具備する：
該ワイド・エリア送信が受信される場合に、該第１のチャネル推定値を導出するために少なくとも１つの時間ドメイン・フィルタの第１のセットを用いて該第１のパイロットを処理すること；及び
該ローカル送信が受信される場合に、該第２のチャネル推定値を導出するために少なくとも１つの時間ドメイン・フィルタの第２のセットを用いて該第２のパイロットを処理すること。
【請求項５５】
請求項５４の方法、ここにおいて、少なくとも１つの時間ドメイン・フィルタの第１のセット及び第２のセットは、異なる長さ、異なる係数、又は異なる長さ及び異なる係数の両者を有する。
【請求項５６】
ワイアレス同報通信ネットワーク内のワイアレス装置であって、該装置は下記を具備する：
ワイド・エリア送信及びローカル送信からなる同報通信送信をワイアレス・リンクを介して適切に受信するための送信機ユニット、該ワイド・エリア送信は該ネットワーク内の複数の送信機から送られる、そして該ローカル送信は該複数の送信機のサブセットから送られる；及び
該ワイド・エリア送信が受信される場合に第１の送信スパンから該ワイド・エリア送信のためのデータを適切にデマルチプレキシングするため、及び該ローカル送信が受信される場合に第２の送信スパンから該ローカル送信のためのデータを適切にデマルチプレキシングするためのデマルチプレクサ。
【請求項５７】
請求項５６の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項５８】
請求項５６の装置であって、下記をさらに具備する：
該ワイド・エリア送信が受信される場合に第１の復調スキーム及びデコーディング・スキームにしたがって該ワイド・エリア送信のための該データを適切に処理するため、及び該ローカル送信が受信される場合に第２の復調スキーム及びデコーディング・スキームにしたがって該ローカル送信のための該データを適切に処理するためのデータ・プロセッサ。
【請求項５９】
請求項５６の装置、ここにおいて、該マルチプレクサは、さらに、該ワイド・エリア送信が受信される場合に第３の送信スパンから該ワイド・エリア送信に関するオーバーヘッド情報を適切にマルチプレックスし、及び該ローカル送信が受信される場合に第４の送信スパンから該ローカル送信に関するオーバーヘッド情報を適切にマルチプレックスする。
【請求項６０】
請求項５６の装置であって、下記をさらに具備する：
該ワイド・エリア送信が受信される場合に第３の送信スパンからデマルチプレックスされた第１のパイロットに基づいて該ワイド・エリア送信に対する第１のチャネル推定値を適切に導出するため、及び該ローカル送信が受信される場合に第４の送信スパンからデマルチプレックスされた第２のパイロットに基づいて該ローカル送信に対する第２のチャネル推定値を適切に導出するためのチャネル推定器；及び
該ワイド・エリア送信が受信される場合に該第１のチャネル推定値を用いて該ワイド・エリア送信のための該データを適切に処理するため及び該ローカル送信が受信される場合に該第２のチャネル推定値を用いて該ローカル送信のための該データを適切に処理するためのデモジュレータ。
【請求項６１】
請求項５６の装置、ここにおいて、該受信機ユニットは、１つの無線周波数に同調させることによって同時に該ワイド・エリア送信及び該ローカル送信を適切に受信する。
【請求項６２】
ワイアレス同報通信ネットワーク内のワイアレス・デバイスであって、該装置は下記を具備する：
ワイド・エリア送信及びローカル送信からなる同報通信送信をワイアレス・リンクを介して受信するための手段、該ワイド・エリア送信は該ネットワーク内の複数の送信機から送られる、そして該ローカル送信は該複数の送信機のサブセットから送られる；
該ワイド・エリア送信が受信される場合に、第１の送信スパンから該ワイド・エリア送信のための該データをデマルチプレキシングするための手段；及び
該ローカル送信が受信される場合に、第２の送信スパンから該ローカル送信のための該データをデマルチプレキシングするための手段。
【請求項６３】
請求項６２の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項６４】
請求項６２の装置であって、下記をさらに具備する：
該ワイド・エリア送信が受信される場合に第１の復調スキーム及びデコーディング・スキームにしたがって該ワイド・エリア送信のための該データを処理するための手段；及び
該ローカル送信が受信される場合に第２の復調スキーム及びデコーディング・スキームにしたがって該ローカル送信のための該データを処理するための手段。
【請求項６５】
請求項６２の装置であって、下記をさらに具備する：
該ワイド・エリア送信が受信される場合に第３の送信スパンから該ワイド・エリア送信に関するオーバーヘッド情報をデマルチプレキシングするための手段；及び
該ローカル送信が受信される場合に第４の送信スパンから該ローカル送信に関するオーバーヘッド情報をデマルチプレキシングするための手段。
【請求項６６】
請求項６２の装置であって、下記をさらに具備する：
該ワイド・エリア送信が受信される場合に第３の送信スパンから第１のパイロットをデマルチプレキシングするための手段；
該ローカル送信が受信される場合に第４の送信スパンから第２のパイロットをデマルチプレキシングするための手段；
該ワイド・エリア送信が受信される場合に該第１のパイロットに基づいて該ワイド・エリア送信に対する第１のチャネル推定値を導出するための手段；
該ローカル送信が受信される場合に該第２のパイロットに基づいて該ローカル送信に対する第２のチャネル推定値を導出するための手段；
該ワイド・エリア送信が受信される場合に該第１のチャネル推定値を用いて該ワイド・エリア送信のための該データを処理するための手段；及び
該ローカル送信が受信される場合に該第２のチャネル推定値を用いて該ローカル送信のための該データを処理するための手段。
【発明の詳細な説明】
【技術分野】
【０００１】
この出願は、米国特許仮出願第６０／５１４，１５２号、名称“ワイアレス・マルチキャスト・ネットワークを介してローカル・コンテント及びワイド・エリアコンテントを送信するための方法（Method for Transmitting Local and Wide-Area Content over a Wireless Multicast Network）”、２００３年１０月２４日出願に優先権を主張する。
【０００２】
本発明は、一般に通信に係り、より詳しくは、ワイアレス通信ネットワークにおけるデータ送信に関係する。
【背景技術】
【０００３】
ワイアレス同報通信ネットワーク及び有線同報通信ネットワークは、ユーザの大きなグループに対して各種のコンテントを提供するために広く展開されている。一般的な有線同報通信ネットワークは、ケーブル・ネットワークであり、多くの数の家庭に対してマルチメディア・コンテントを配信する。ケーブル・ネットワークは、一般的にヘッドエンド及び配給ノードを含む。各ヘッドエンドは、各種のソースからプログラムを受信し、各プログラムに対して別々の変調された信号を発生し、１つの出力信号上へプログラムの全てに対する変調された信号をマルチプレックスし、そして配給ノードにその出力信号を送る。各プログラムは、広い地理的な地域（例えば、州全体）にわたり、又は小さな地理的な地域（例えば、市）にわたって配給されることができる。各配給ノードは、広い地理的な地域内部の特定の地域（例えば、自治体）をカバーする。各配給ノードは、ヘッドエンドから出力信号を受信し、異なる複数の周波数チャネル上へと自身の交信可能地域内に配給されようとしているプログラムに対する変調された信号をマルチプレックスし、そして自身の交信可能地域範囲内の家庭へその出力信号を送る。各配給ノードに対する出力信号は、一般的に全国的なプログラムとローカルなプログラムの両方を搬送し、これらは、多くの場合、出力信号上へとマルチプレックスされた別々の変調された信号上に送られる。
【０００４】
ワイアレス同報通信ネットワークは、ネットワークの交信可能地域範囲内のワイアレス・デバイスに無線でデータを送信する。ワイアレス同報通信ネットワークは、複数の重要な事項で有線同報通信ネットワークと異なる。第１に、ワイアレス同報通信ネットワーク内の別の基地局によって送信された信号は、これらの信号が同じでない場合には互いに干渉する。対照的に、各配給ノードの出力信号は、専用のケーブル上に送られ、そしてそれゆえ別の配給ノードからの干渉を受けない。第２に、ワイアレス同報通信ネットワーク内の各基地局は、一般的に、その基地局によって同報通信される全てのプログラムのためのデータを搬送する単一の無線周波数（radio frequency）（ＲＦ）変調された信号を送信する。対照的に、有線同報通信ネットワーク内の各配給ノードは、異なるプログラムに対する個々の変調された信号を異なる周波数チャネル上へとマルチプレックスできる。これらの相違のために、有線同報通信ネットワークにおいてプログラムを配給するために使用する技術は、ワイアレス同報通信ネットワークに対して一般に適用可能でない。
【０００５】
したがって、異なるタイプのコンテントを異なる交信可能地域に効率的に同報通信できるワイアレス同報通信ネットワークに対するこの技術における必要性がある。
【発明の概要】
【０００６】
ワイアレス同報通信ネットワークにおいて異なるタイプの送信（例えば、ローカル送信及びワイド・エリア送信）を同報通信するための技術が、本明細書中に記載される。本明細書中で使用されるように、“同報通信（broadcast）”及び“同報通信すること（broadcasting）”は、任意のサイズのユーザのグループへのコンテント／データの送信を呼び、そしてしかも“マルチキャスト（multicast）”又はある種のその他の専門用語として呼ばれることがある。ワイド・エリア送信は、ネットワーク内の全ての送信機又は多くの送信機によって同報通信されることができる送信である。ローカル送信は、所与のワイド・エリア送信に対する送信機のサブセットによって同報通信されることができる送信である。異なるローカル送信は、所与のワイド・エリア送信に対する送信機の別のサブセットによって同報通信されることができる。異なるワイド・エリア送信は、同様に、ネットワーク内の送信機の別のグループによって同報通信されることができる。ヴェニュー送信（venue transmission）は、同様に、所与のローカル送信に対する送信機の所与のサブセットのより小さなサブセットによって同報通信されることができる。ワイド・エリア送信、ローカル送信、及びヴェニュー送信は、異なる交信可能範囲の階層（tier）を有する異なるタイプの送信として見られることができ、各送信のための交信可能範囲は、その送信を同報通信する送信機の全てによって決定される。ワイド・エリア送信、ローカル送信、及びヴェニュー送信は、一般的に異なるコンテントを搬送する、しかしこれらの送信は、同様に同一のコンテントを搬送できる。
【０００７】
ワイアレス同報通信ネットワーク内の各基地局（又は送信機）において、ワイド・エリア送信のためのデータは、ワイド・エリア送信に対して選択された第１のコーディング・スキーム及び変調スキーム（又は“モード”）にしたがって処理されて、ワイド・エリア送信のためのデータ・シンボルを発生する。ローカル送信のためのデータは、ローカル送信に対して選択された第２のコーディング・スキーム及び変調スキームにしたがって処理されて、ローカル送信のためのデータ・シンボルを発生する。第１及び第２のコーディング・スキーム及び変調スキームは、それぞれワイド・エリア送信及びローカル送信のための基地局からの所望の交信可能範囲に基づいて選択されることができる。ローカル送信及びワイド・エリア送信を再生するために使用される時分割マルチプレックスされた（time division multiplexed）（ＴＤＭ）パイロット及び／又は周波数分割マルチプレックスされた（frequency division multiplexed）（ＦＤＭ）パイロットが、発生される。ローカル送信及びワイド・エリア送信において送られた各データ・チャネルの時間及び／又は周波数位置を指示するオーバーヘッド情報が、同様に決定される。データ・チャネルは、ローカル送信及びワイド・エリア送信において送られるマルチメディア・コンテント及び／又はその他のデータを搬送する。
【０００８】
ローカル送信及びワイド・エリア送信のためのデータ、パイロット、及びオーバーヘッド情報は、様々な方式でマルチプレックスされることができる。例えば、ワイド・エリア送信のためのデータ・シンボルは、ワイド・エリア送信に対して割り当てられた“送信スパン”上へとマルチプレックスされることができ、ローカル送信のためのデータ・シンボルは、ローカル送信に対して割り当てられた送信スパン上へとマルチプレックスされることができ、ワイド・エリア送信に対するＴＤＭパイロット及び／又はＦＤＭパイロットは、これらのパイロットに対して割り当てられた送信スパン上へとマルチプレックスされることができ、そしてローカル送信に対するＴＤＭパイロット及び／又はＦＤＭパイロットは、これらのパイロットに対して割り当てられた送信スパン上へとマルチプレックスされることができる。ローカル送信及びワイド・エリア送信に関するオーバーヘッド情報は、１又はそれより多くの指定された送信スパン上へとマルチプレックスされることができる。異なる送信スパンは、（１）ＦＤＭがワイアレス同報通信ネットワークによって利用される場合には周波数サブバンドの異なるセットに、（２）ＴＤＭが利用される場合には異なる時間セグメントに、又は（３）ＴＤＭ及びＦＤＭの両者が利用される場合には異なる時間セグメントにおける異なるサブバンドのグループに対応することがある。様々なマルチプレキシング・スキームが下記に説明される。交信可能範囲の２より多くの異なる階層を有する２より多くの異なるタイプの送信は、同様に、処理され、マルチプレックスされ、そして同報通信されることができる。
【０００９】
ワイアレス同報通信ネットワーク内のワイアレス・デバイスは、ローカル送信及びワイド・エリア送信のためのデータを再生するために相補的な処理を実行する。本発明の様々な態様及び実施形態が、下記にさらに詳細に記載される。
【図面の簡単な説明】
【００１０】
【図１】図１は、ワイアレス同報通信ネットワークを示す。
【図２Ａ】図２Ａは、ワイド・エリア送信に対する交信可能地域を示す。
【図２Ｂ】図２Ｂは、異なる複数のローカル送信に対する交信可能地域を示す。
【図３Ａ】図３Ａは、ローカル送信及びワイド・エリア送信を同報通信するためのＦＤＭ構成を示す。
【図３Ｂ】図３Ｂは、図３ＡのＦＤＭ構成を使用する同報通信送信を示す。
【図４Ａ】図４Ａは、ローカル送信及びワイド・エリア送信を同報通信するためのＴＤＭ構成を示す。
【図４Ｂ】図４Ｂは、図４ＡのＴＤＭ構成を使用する同報通信送信を示す。
【図５】図５は、ローカル送信及びワイド・エリア送信を同報通信するためのスーパー・フレーム構成を示す。
【図６】図６は、３個のばらばらにされたセットの中にデータ・サブバンドを分割することを示す。
【図７】図７は、ローカル送信及びワイド・エリア送信のためのＦＤＭパイロットを示す。
【図８】図８は、ローカル送信及びワイド・エリア送信を同報通信するための処理を示す。
【図９】図９は、ローカル送信及びワイド・エリア送信を受信するための処理を示す。
【図１０】図１０は、基地局及びワイアレス・デバイスのブロック図を示す。
【発明を実施するための形態】
【００１１】
本発明の特徴及び本質は、図面とともに扱われる以下に述べる詳細な説明から、さらに明確になるであろう。図面では、一貫して対応するものは同じ参照符号で識別する。
【００１２】
用語“具体例の（exemplary）”は、“例、事例、又は実例として働くこと”を意味するように本明細書中では使用される。“具体例の”として本明細書中に記載されたいずれかの実施形態又は設計が、その他の実施形態又は設計に対して好ましい又は優位であるとして解釈される必要はない。
【００１３】
図１は、ワイアレス同報通信ネットワーク１００を示し、これは、例えば、ワイド・エリア送信及びローカル送信のような異なるタイプの送信を同報通信できる。各ワイド・エリア送信は、ネットワーク内の全ての基地局又は複数の基地局を含むことができる、ワイアレス・ネットワーク内の基地局のセットによって同報通信される。各ワイド・エリア送信は、一般的に、大きな地理的な地域にわたり同報通信する。各ローカル送信は、所与のワイド・エリア送信に対する所与のセット中の基地局のサブセットによって同報通信される。各ローカル送信は、一般的により小さな地理的な地域にわたり同報通信される。簡単のために、ワイド・エリア送信に対する大きな地理的な地域は、広い交信可能地域又は簡単に“ワイド・エリア（wide area）”とも呼ばれ、そしてローカル送信に対するより小さな地理的な地域は、同様に、ローカルな交信可能地域又は簡単に“ローカル・エリア（local area）”とも呼ばれる。ネットワーク１００は、大きな交信可能地域、例えば、米国全体、米国の大きな領域（例えば、西部の諸州）、州全体、及びその他、を有することができる。例えば、１つのワイド・エリア送信は、カリフォルニア州全体にわたり同報通信されることができ、そして異なる複数のローカル送信は、ロスアンジェルス及びサンジェゴのような異なる市にわたって同報通信されることができる。
【００１４】
簡単のために、図１は、ワイド・エリア１１０ａ及び１１０ｂをカバーするネットワーク１００を示し、ワイド・エリア１１０ａは、３つのローカル・エリア１２０ａ，１２０ｂ，及び１２０ｃを包含する。一般に、ネットワーク１００は、異なるワイド・エリア送信を用いる任意の数のワイド・エリアを含むことができ、そして異なるローカル送信を用いる任意の数のローカル・エリアを含むことができる。各ローカル・エリアは、別の１つのローカル・エリアと隣接することがあり又は孤立していることがある。ネットワーク１００は、しかも、異なる大きさの任意の数の地理的な地域にわたる受信のために指定された任意の数の異なるタイプの送信を同報通信できる。例えば、ネットワーク１００は、同様に、より小さな地理的地域にわたる受信のために指定されたヴェニュー送信を同報通信でき、より小さな地理的地域は、所与のローカル・エリアの一部分であり得る。簡単のために、下記の説明の多くでは、ネットワーク１００は、２つの異なるタイプの送信に対する１つのワイド・エリア及び複数のローカル・エリアをカバーするように仮定する。
【００１５】
図２Ａは、ネットワーク１００におけるワイド・エリア送信に対する交信可能地域を示す。所与のワイド・エリア内の全ての基地局は、同一のワイド・エリア送信を同報通信し、そしてネットワークは、単一周波数ネットワーク（single frequency network）（ＳＦＮ）と呼ばれる。もし、ワイド・エリア内の全ての基地局が同一のワイド・エリア送信を同報通信するのであれば、ワイアレス・デバイスは、性能を向上させるために異なる基地局から受信された複数の信号を統合できる。１つの物理レイヤにおいて、ＳＦＮにおけるデータ受信に対する主な障害は、熱雑音及びワイアレス・チャネルの時間変動及び過剰遅延拡散（excess delay spread）に起因する性能劣化である。遅延拡散は、ワイアレス・デバイスにおける最も早く到着する信号の場合（又はマルチパス）と最後に到着する信号の場合との間の時間差である。
【００１６】
図２Ｂは、ネットワーク１００における異なる複数のローカル送信に対する交信可能地域を示す。異なるローカル・エリア内の複数の基地局は、異なるローカル送信を送信し、そしてネットワークは、多重周波数ネットワーク（multiple frequency network）（ＭＦＮ）と呼ばれる。用語“ＳＦＮ”及び“ＭＦＮ”は、ネットワークの特性を説明するために一般的に使用される放送用語であり、そしてＭＦＮは、異なる基地局が異なる無線周波数上に送信することを必ずしも意味しない。異なるローカル・エリア内の基地局が異なるローカル送信を同報通信する場合であっても、所与のローカル・エリアの内部にあるワイアレス・デバイスは、隣接するローカル・エリア内の基地局からほとんど干渉を受けないことがある、これは、干渉する基地局への比較的遠い距離のためである。例えば、ローカル・エリアＡ内のワイアレス・デバイス１、ローカル・エリアＢ内のワイアレス・デバイス４、及びローカル・エリアＣ内のワイアレス・デバイス６は、隣接するローカル・エリアからほとんど干渉を受けないことがある。ローカル送信は、これらの内部のワイアレス・デバイスにとって本質的にＳＦＮの特性である。
【００１７】
ローカル・エリアの境界近くのワイアレス・デバイスは、隣接するローカル・エリア内の基地局によって送信された信号から著しい隣接ローカル・チャネル干渉（adjacent local channel interference）（ＡＬＣＩ）を観測することがある。例えば、ローカル・エリアＡ内のワイアレス・デバイス２は、隣接するローカル・エリアＢ及びＣ内の基地局から著しいＡＬＣＩを受けることがあり、ローカル・エリアＢ内のワイアレス・デバイス３は、隣接するローカル・エリアＡ及びＣ内の基地局から著しいＡＬＣＩを受けることがあり、そしてローカル・エリアＣ内のワイアレス・デバイス５は、隣接するローカル・エリアＡ及びＢ内の基地局から著しいＡＬＣＩを受けることがある。ネットワークは、これらの周辺のワイアレス・デバイスにとって本質的にＭＦＮの特性である。ＡＬＣＩは、結果としてＳＦＮの場合に対して追加の性能劣化をもたらす。もし、データがＳＦＮ及びＭＦＮの両者に対して同一の方式で処理されそして送信されるのであれば、ＭＦＮの場合では周辺のワイアレス・デバイスよって観測されるＡＬＣＩは、これらのワイアレス・デバイスにおいて受信される信号品質を劣化させ、そして隣接するローカル・エリアの境界における交信可能範囲の縮小を引き起こす。
【００１８】
一般に、各タイプの送信（例えば、ワイド・エリア又はローカル）に対する交信可能範囲は、その送信タイプに対する使用要求条件に適合されることができる。より広い適用可能性を有する送信は、より広い地理的な地域内のワイアレス・デバイスに送られることができる。逆に、より限定された適用可能性を有する送信は、より狭い地理的な地域内のワイアレス・デバイスに送られることができる。
【００１９】
ネットワーク１００は、ローカル送信及びワイド・エリア送信の両者に対して良い性能を提供するように設計されることができる。これは、下記を実行することによって実現されることができる：
・時間、周波数、及び／又はコード・ドメインにおいてローカル送信及びワイド・エリア送信をマルチプレキシングすること、その結果２つのタイプの送信の間の干渉が削減される；
・それぞれＭＦＮ及びＳＦＮの異なる特性に基づいてローカル送信及びワイド・エリア送信（同様にこれらに関係するパイロット）を送信すること；及び
・ローカル送信及びワイド・エリア送信の可変（ソース）レート要求を満足するようにリソース割り当てにおける自由度を提供すること。
【００２０】
ローカル送信は、ＭＦＮ特性に基づいて送られて、ローカル・エリアの端に位置するワイアレス・デバイスに対するより良い交信可能範囲を提供する。異なるワイド・エリアに対するワイド・エリア送信は、同様に、これらのワイド・エリア間の境界においてＭＦＮの特性であり、そして同様に、本明細書中に説明される技術を使用して送られることができる。上記の３つの態様のそれぞれが、下記に詳細に説明される。
【００２１】
１．ローカル送信及びワイド・エリア送信のマルチプレキシング
図３Ａは、多重キャリア・ネットワークにおいて所与のシステム・バンド幅にわたるローカル送信及びワイド・エリア送信を同報通信するために使用されることができるＦＤＭ構成３００を示す。構成３００は、単一の無線周波数に同調された受信機によるローカル送信及びワイド・エリア送信両者の受信をサポートし、そして異なる複数の無線周波数を使用してローカル送信及びワイド・エリア送信を送るスキームとは異なる。システム・バンド幅全体は、直交周波数分割マルチプレキシング（ＯＦＤＭ）のような多重キャリア変調技術を使用することによって又はある種のその他の構成概念（construct）によって複数（Ｎ個）の直交周波数サブバンドへと分割される。これらのサブバンドは、同様に、トーン（tone）、キャリア、サブキャリア、ビン、及び周波数チャネルとも呼ばれる。ＯＦＤＭを用いて、各サブバンドは、データを用いて変調されることができるそれぞれのサブキャリアに関係付けられる。Ｎ個のトータル・サブバンドのうちで、Ｕ個のサブバンドは、データ送信及びパイロット送信のために使用されることができ、そして“使用可能な（usable）”サブバンドと呼ばれる。ここで、Ｕ≦Ｎである。Ｇ個の残りのサブバンドは、使用されず、そして“ガード（guard）”サブバンドと呼ばれる。ここで、Ｎ＝Ｕ＋Ｇである。具体的な例のように、ネットワークは、Ｎ＝４０９６のトータル・サブバンド、Ｕ＝４０００の使用可能なサブバンド、そしてＧ＝９６のガード・サブバンドを有するＯＦＤＭ構成を利用できる。一般に、Ｎ，Ｕ，及びＧは、任意の値であり得る。簡単のために、下記の説明は、全てのＮ個のサブバンドが送信のために使用可能であり、すなわち、ガード・サブバンドがないように、Ｕ＝ＮそしてＧ＝０である、と仮定する。
【００２２】
データ送信を有する各シンボル・ピリオド中で、Ｎ個の使用可能なサブバンドのうちＰ個のサブバンドは、ＦＤＭパイロットのために使用されることができ、そして“パイロット（pilot）”サブバンドと呼ばれる。ここで、Ｐ＜Ｎである。パイロットは、一般的に公知の方式で処理されそして送信される公知の変調シンボルから組立てられる。残りのＤ個の使用可能なサブバンドは、データ送信のために使用されることができ、そして“データ（data）”サブバンドと呼ばれる。ここでＤ＝Ｎ−Ｐである。ＴＤＭパイロットは、同様に全てのＮ個の使用可能なサブバンド上で複数のシンボル・ピリオドにおいて送信されることができる。
【００２３】
図３Ａに示された実施形態に関して、ＦＤＭパイロットは、システム・バンド幅全体にわたって分散されるＰ個のパイロット・サブバンド上に送信されて、周波数スペクトルのより良いサンプリングを提供する。Ｄ個のデータ・サブバンドは、ローカル送信、ワイド・エリア送信、オーバーヘッド送信、及びその他に割り当てられることができる。Ｌｓｂ個のサブバンドのセットは、ローカル送信に対して割り当てられることができ、そしてＷｓｂ個のサブバンドのセットは、ワイド・エリア送信に対して割り当てられることができる。ここで、Ｗｓｂ＋Ｌｓｂ≦Ｄである。ワイド・エリア送信に対するＷｓｂ個のサブバンド及びローカル送信に対するＬｓｂ個のサブバンドは、図３Ａに示されたように、システム・バンド幅全体にわたって分散されることができて、周波数ダイバーシティを改善する。Ｗｓｂ個のサブバンドは、ワイド・エリア送信のためのデータ（又は簡単に、ワイド・エリア・データ）を搬送し、そしてＬｓｂ個のサブバンドは、ローカル送信のためのデータ（又は簡単にローカル・データ）を搬送する。
【００２４】
図３Ｂは、ＦＤＭ構成３００を使用する異なる複数のローカル・エリアに対するデータ送信を示す。ローカル送信とワイド・エリア送信との間の干渉を最小にするために、所与のワイド・エリア内の全ての基地局は、ワイド・エリア送信を同報通信するためにＷｓｂ個のサブバンドの同じセットを使用できる。異なるローカル・エリア内の基地局は、ローカル送信に割り当てられたＬｓｂ個のサブバンドのセット上で異なるローカル送信を同報通信できる。ローカル送信及びワイド・エリア送信に割り当てられるサブバンドの数は、リソース要求に基づいて変えられることができる。例えば、Ｗｓｂ及びＬｓｂは、（１）シンボル毎に又はタイム・スロット毎にダイナミックに、（２）１日の時刻、１週間の曜日、及びその他に基づいて、（３）予め決められた計画に基づいて、又は（４）上記の任意の組み合わせに基づいて、変えられることができる。例えば、Ｗｓｂ及びＬｓｂは、各ウィークデーの一部の間にダイナミックに変化させることができ、各ウィークデーの残りの部分の間は一定であることができ、そしてウィークエンドには予め決められた計画に基づいて設定されることができる。
【００２５】
リソース割り当てを単純化するため、そして周波数ダイバーシティを改善するために、Ｎ個の使用可能なサブバンドは、Ｍ個の“インターレース”又はばらばらにされたサブバンド・セットに配列されることができる。Ｍ個のインターレースは、Ｎ個の使用可能なサブバンドの各々が１個のインターレースだけに属するようにばらばらにされる。各インターレースは、Ｐ個の使用可能なサブバンドを包含する。ここでＮ＝Ｍ・Ｐである。各インターレース中のＰ個のサブバンドは、Ｎ個の使用可能なサブバンドにわたり一様に分散されることができ、その結果各インターレース中の連続するサブバンドは、Ｍ個のサブバンドだけ離れて間隔を空けられる。上記に説明された具体例のＯＦＤＭ構成に関して、Ｍ＝８のインターレースが、形成されることができ、各インターレースが８個のサブバンドだけ離れて一様に間隔を空けられるＰ＝５１２の使用可能なサブバンドを包含する。各インターレース中のＰ個の使用可能なサブバンドは、そのようにしてその他のＭ−１個のインターレースの各々においてＰ個の使用可能なサブバンドでインターレースされる。
【００２６】
具体例のＯＦＤＭ構成及びインターレース・スキームが上に説明されてきた。別のＯＦＤＭ構成及びサブバンド割り当てスキームが、同様にローカル送信及びワイド・エリア送信のＦＤＭをサポートするために使用されることができる。
【００２７】
図４Ａは、単一キャリア・ネットワーク又は多重キャリア・ネットワークにおいてローカル送信及びワイド・エリア送信を同報通信するために同様に使用されることができるＴＤＭ構成４００を示す。送信タイムラインは、複数のフレーム４１０に分割され、各フレームは予め決められた時間の期間を有する。フレーム期間は、例えば、データ送信のために望まれる時間ダイバーシティの量のような各種の因子に基づいて選択されることができる。各フレームは、パイロット情報及びオーバーヘッド情報を搬送するフィールド４１２、ワイド・エリア・データを搬送するセグメント４１４、及びローカル・データを搬送するセグメント４１６を含む。各フレームは、同様にその他の情報のための別のフィールドを含むことができる。
【００２８】
図４Ｂは、ＴＤＭ構成４００を使用する異なるローカル・エリアのためのデータ送信を示す。ローカル送信とワイド・エリア送信との間の干渉を最小にするために、所与のワイド・エリア内の全ての基地局に対するワイド・エリア・セグメント４１４は、時間で合わせられることができ、その結果、これらの基地局は、同じ時刻にワイド・エリア送信を同報通信する。異なるローカル・エリア内の基地局は、セグメント４１６において異なるローカル送信を同報通信できる。セグメント４１４及び４１６のサイズは、ダイナミックに又はリソース必要条件に基づいて予め決められた方式で変えられることができる。
【００２９】
図３ＡのＦＤＭＡ構造３００及び図４ＡのＴＤＭ構成４００に関して、ローカル送信及びワイド・エリア送信は、２つのタイプの送信が互いに最小限部分的に重なるように、それぞれ周波数及び時間にマルチプレックスされる。このアライメントは、２つの送信タイプの間の干渉を回避する又は最小にする。しかしながら、異なる送信タイプが重ならないことを厳格に守ることは、必ずしも必要でない。その上、異なるローカル・エリアは、異なる周波数割り当て又は時間割り当てを有することができる。一般に、種々のマルチプレキシング構成は、異なる交信可能地域を有する異なるタイプの送信を同報通信するために使用されることができる。ＯＦＤＭベースのワイアレス同報通信ネットワークに対して適しているマルチプレキシング構成が、下記に説明される。
【００３０】
図５は、ＯＦＤＭベースのワイアレス同報通信ネットワークにおいてローカル送信及びワイド・エリア送信を同報通信するために使用されることができる具体例のスーパー・フレーム構成５００を示す。データ送信は、スーパー・フレーム５１０単位で生じる。各スーパー・フレームは、予め決められた時間の期間に及ぶ。この期間は、例えば、同報通信されるデータ・ストリームに対する所望の統計的なマルチプレキシング、データ・ストリームに対して望まれる時間ダイバーシティの量、データ・ストリームに対する捕捉時間、ワイアレス・デバイスに対するバッファ必要条件、及びその他のような、各種の要因に基づいて選択されることができる。ほぼ１秒のスーパー・フレームのサイズは、上記の複数の各種の要因の間で良いトレード・オフを提供できる。しかしながら、その他のスーパー・フレームのサイズが、同様に使用されることができる。
【００３１】
図５に示された実施形態に関して、各スーパー・フレーム５１０は、ヘッダ・セグメント５２０、４個の等しいサイズのフレーム５３０ａから５３０ｄ、及び図５の目盛に示されていないトレーラ・セグメント５４０を含む。表１は、セグメント５２０と５４０に対する及び各フレーム５３０に対する種々のフィールドを列挙する。
【表１】
2010226735.tif 000003
【００３２】
図５に示された実施形態に関して、異なるパイロットが異なる目的のために使用される。ＴＤＭパイロットは、各スーパー・フレームの開始において又は開始の近くで送信され、そして表１に記された目的のために使用されることができる。遷移パイロット（transition pilot）は、ローカル・フィールド／送信とワイド・エリア・フィールド／送信との間の境界において送られ、ローカル・フィールド／送信とワイド・エリア・フィールド／送信との間の繋ぎ目のない遷移を可能にし、そして下記に説明されるように発生されることができる。
【００３３】
ローカル送信及びワイド・エリア送信は、ビデオ、オーディオ、テレテキスト、データ、ビデオ／オーディオ・クリップ、及びその他のようなマルチメディア・コンテントに対してであることができ、そして別々のデータ・ストリーム中で送られることができる。例えば、１つのマルチメディア（例えば、テレビ）プログラムは、ビデオ、オーディオ、及びデータのための３個の別々のデータ・ストリームで送られることができる。データ・ストリームは、データ・チャネル上で送られる。各データ・チャネルは、１個のデータ・ストリーム又は複数のデータ・ストリームを搬送できる。ローカル送信のためのデータ・ストリームを搬送しているデータ・チャネルは、しかも“ローカル・チャネル（local channel）”とも呼ばれ、そしてワイド・エリア送信のためのデータ・ストリームを搬送しているデータ・チャネルは、同様に“ワイド・エリア・チャネル（wide-area channel）”とも呼ばれる。ローカル・チャネルは、ローカル・データ・フィールド中で送られ、そしてワイド・エリア・チャネルは、スーパー・フレームのワイド・エリア・データ・フィールド中で送られる。
【００３４】
各データ・チャネルは、そのデータ・チャネルに対するペイロード、スーパー・フレームにおけるインターレースの利用可能性、及びおそらくその他の要因に応じて各スーパー・フレーム中で一定の数又は可変の数のインターレースを“割り当てられる（allocated）”ことができる。各データ・チャネルは、いずれかの所与のスーパー・フレームにおいてアクティブである又はインアクティブであることがある。各アクティブなデータ・チャネルは、少なくとも１つのインターレースを割り当てられる。各アクティブなデータ・チャネルは、同様に指定スキーム（assignment scheme）に基づいてスーパー・フレーム内部の固有のインターレースを“指定される（assigned）”。指定スキームは、（１）可能な限り効率的にアクティブなデータ・チャネルの全てを詰め込む、（２）各データ・チャネルに対する送信時間を削減する、（３）各データ・チャネルに対する適切な時間ダイバーシティを提供する、そして（４）各データ・チャネルに指定されたインターレースを指示するために必要なシグナリングの量を最小にする、ことを試みる。各アクティブなデータ・チャネルに対して、同一のインターレース指定が、スーパー・フレームの４個のフレームに対して使用されることができる。
【００３５】
ローカルＯＩＳフィールドは、現在のスーパー・フレームに対する各アクティブなローカル・チャネルのための時間−周波数指定を指示する。ワイド・エリアＯＩＳは、現在のスーパー・フレームに対する各アクティブなワイド・エリア・チャネルのための時間−周波数指定を指示する。ローカルＯＩＳ及びワイド・エリアＯＩＳは、各スーパー・フレームの開始において送られて、ワイアレス・デバイスがスーパー・フレーム内の関心のある各データ・チャネルの時間−周波数位置を決定することを可能にする。
【００３６】
スーパー・フレームの各種のフィールドは、図５に示された順番で、又はある種のその他の順番で送られることができる。一般に、スーパー・フレームの早くにＴＤＭパイロット及びオーバーヘッド情報を送ることが望ましく、その結果、ＴＤＭパイロット及びオーバーヘッド情報がスーパー・フレームの後のほうで送られるデータを受信するために使用されることが可能である。ワイド・エリア送信は、図４Ａ及び図５に示されたようにローカル送信の前に送られることができる、又はローカル送信の後で送られることができる。
【００３７】
図５は、具体例のスーパー・フレーム構成を示す。一般に、スーパー・フレームは、任意の時間の期間に及び、そして任意の数のそして任意のタイプのセグメント、フレーム、及びフィールドを含むことができる。しかしながら、通常、受信側電子機器にとっての捕捉時間及び周期動作時間に関係するスーパー・フレーム期間の有用な範囲がある。その他のスーパー・フレーム及びフレーム構成が、同様に異なるタイプの送信を同報通信するために使用されることができ、そしてこれは、本発明の範囲内である。
【００３８】
図５に示されたように、ローカル送信及びワイド・エリア送信の時間分割マルチプレキシングは、ローカル送信からの干渉なしに、ワイド・エリア送信がＳＦＮコンテクストの範囲内でＯＦＤＭの利点を享受することを可能にする。ＴＤＭを用いて任意の所与の時間に、ローカル送信又はワイド・エリア送信だけが送られるので、ローカル送信及びワイド・エリア送信は、異なる送信パラメータを使用して同報通信されることができ、その送信パラメータは、下記に説明されるように、それぞれローカル送信及びワイド・エリア送信に対して良い性能を実現するために独立して最適化されることができる。
【００３９】
２．データ送信
各スーパー・フレーム中で同報通信されるワイド・エリア・チャネルは、可能な限り効率的に詰め込まれることができる。所与のワイド・エリア内の全ての基地局は、各スーパー・フレームの４個のワイド・エリア・データ・フィールドにおいて同一のワイド・エリア送信を同報通信する。ワイアレス・デバイスは、データ受信性能を改善するために、任意の数の基地局から受信されたワイド・エリア送信を統合することができる。
【００４０】
異なるローカル・エリア内の基地局は、各スーパー・フレームの４個のローカル・データ・フィールドにおいて４個の異なるローカル送信を同報通信する。隣接するローカル・エリアの境界近くに位置する周辺のワイアレス・デバイスは、そのようなわけで、そのデバイスにおいて受信された信号品質を劣化させる隣接ローカル・チャネル干渉（ＡＬＣＩ）を観測するはずである。受信された信号品質は、信号対干渉及びノイズ比（signal-to- noise-and-interference ratio）（ＳＩＮＲ）又はある種のその他の尺度によって定量化されることができる。周辺のワイアレス・デバイスは、ＡＬＣＩに起因する劣化のためにより低いＳＩＮＲを実現するはずである。基地局において、ローカル送信のためのデータは、適切な受信のために特定のＳＩＮＲを必要とするコーディング・スキーム及び変調スキームを用いて処理される。所与のワイアレス・デバイスがＡＬＣＩの存在下で必要とされるＳＩＮＲをより狭い地域において実現できるため、ＡＬＣＩは、ローカル・エリアを縮小させる効果を有する。
【００４１】
各種の技術が、ローカル送信のための交信可能範囲を改善するために使用されることができる。これらの技術は、一般的に、境界における交信可能範囲を拡張するためにローカル・エリアの内部における性能をトレード・オフする。これらの技術は、部分ローディング及びコーディング／変調選択を含む。
【００４２】
部分ローディング、これは周波数再使用とも呼ばれる、を用いて、データ送信のために使用可能な全てではないサブバンドが、データを送信するために実際に使用される。その上、隣接する複数のローカル・エリアは、それらのローカル送信が互いに可能な限り干渉しないようにサブバンドを指定されることができる。これは、直交部分ローディング又はランダム部分ローディングを用いて実現されることができる。
【００４３】
直交部分ローディングを用いて、隣接するローカル・エリアは、サブバンドのばらばらな又は重ならないセットを指定される。各ローカル・エリア内の基地局は、それからそのローカル・エリアに指定されたサブバンドのセット上にローカル送信を同報通信する。サブバンド・セットがばらばらであるので、各ローカル・エリア内のワイアレス・デバイスは、隣接するローカル・エリア内の基地局から何のＡＬＣＩも観測しない。
【００４４】
図６は、Ｓ１，Ｓ２及びＳ３と名付けられた３個のばらばらにされたセットの中へのＤ個のデータ・サブバンドの具体例の分割を示す。一般に、各セットは、任意の数のデータ・サブバンド及びＤ個のデータ・サブバンドのうちどれでも包含できる。各セットに対するサブバンドは、しかもダイナミックに又は予め決められた方式で変化できる。周波数ダイバーシティを実現するために、各セットは、Ｄ個のデータ・サブバンドにわたる中から取り出されたサブバンドを包含できる。各セット中のサブバンドは、Ｄ個のデータ・サブバンドにわたって均一に又は不均一に分散されることができる。
【００４５】
図２Ｂに戻って参照して、ローカル・エリアＡは、サブバンド・セットＳ１を指定されることができ、ローカル・エリアＢは、サブバンド・セットＳ２を指定されることができ、そしてローカル・エリアＣは、サブバンド・セットＳ３を指定されることができる。ローカル・エリアＡ内の基地局は、そのようにしてサブバンド・セットＳ１上でローカル・エリアＡに対してローカル送信を同報通信し、ローカル・エリアＢ内の基地局は、サブバンド・セットＳ２上でローカル・エリアＢに対してローカル送信を同報通信し、ローカル・エリアＣ内の基地局は、サブバンド・セットＳ３上でローカル・エリアＣに対してローカル送信を同報通信する。
【００４６】
図２Ｂ及び図６は、３個のローカル・エリアを有する場合を示す。直交部分ローディングは、任意の数のローカル・エリアに拡張されることができる。Ｑ個のばらばらにされたサブバンド・セットは、Ｑ個の隣接するローカル・エリアに対して形成されることができる。ここで、Ｑ＞１である。Ｑ個のセットは、同じ数の又は異なる数のサブバンドを包含できる。上に説明されたインターレース・スキームに関して、データ送信のために利用可能なＭ−１個のインターレースは、Ｑ個のセットに割り当てられることができる。各セットは、任意の数のインターレースを包含できる。各セットに対するインターレースは、ダイナミックに又は予め決められた方式で変更できる。各ローカル・エリアは、ローカル送信のためにインターレースのそれぞれのセットを指定される。周波数プラニングは、ネットワーク全体にわたって実施されることができて、隣接するローカル・エリアがばらばらにされたセットを指定されることを確実にする。
【００４７】
ランダム部分ローディングを用いて、各ローカル・エリアは、Ｋ個のデータ・サブバンドを割り当てられる。ここで、Ｋ≦Ｄである。そして、そのローカル・エリア内の基地局は、Ｄ個のデータ・サブバンドの中から擬似ランダム方式で選択されたＫ個のサブバンド上にローカル送信を同報通信する。各ローカル・エリアに対して、擬似ランダム数（ＰＮ）発生器は、各シンボル・ピリオド中で異なるＫ個のサブバンドのセットを選択するために使用されることができる。異なるローカル・エリアは、異なるＰＮ発生器を使用できて、その結果、各ローカル・エリアによって使用されるサブバンドは、隣接するローカル・エリアによって使用されるサブバンドに対して擬似ランダムである。実際に、各ローカル・エリアに対するローカル送信は、Ｄ個のデータ・サブバンドを横切って飛び越える。ＡＬＣＩは、食い違いが生じる場合はいつでも、そして隣接するローカル・エリアが同じシンボル・ピリオド中で同じサブバンドを使用する場合はいつでも観測される。しかしながら、ＡＬＣＩは、そこではＫ個のサブバンドが各ローカル・エリアに対する各シンボル・ピリオド中で選択される擬似ランダム方式のためにランダム化される。ワイアレス・デバイスは、基地局によって実行されたホッピング（hopping）の知識を有し、そしてローカル送信を再生するために相補的なデホッピング（de-hopping）を実行できる。
【００４８】
ランダム部分ローディングに関して、食い違いの蓋然性は減少し、そしてＡＬＣＩの量は、Ｋが減少するとともに減少する。交信可能範囲は、そのようにしてＫのより小さな値で拡張されることができる。しかしながら、より小さなＫは、しかも結果として所与のコーディング・スキーム及び変調スキームに対するより低い全体のスループットをもたらす。Ｋは、そのようにして交信可能地域と全体のスループットとの間のトレード・オフに基づいて選択されることができる。
【００４９】
任意のタイプの部分ローディングに関して、データ送信のために使用される各サブバンドに対する送信出力は、全体の送信出力を増加させることなく増加されることができる。全体の送信出力は、各シンボル・ピリオド中でローカル送信のために使用されるＫ個のサブバンドにわたって分散されることができ、これは、“アクティブな（active）”サブバンドと呼ばれることがある。もし、Ｋ個のサブバンドがローカル送信のために使用され、そしてＤ個のサブバンドがワイド・エリア送信のために使用されるのであれば、ここで、部分ローディングを用いてＫ＜Ｄであり、その時は、アクティブなサブバンド当りの送信出力は、ワイド・エリア送信に対するよりもローカル送信に対する方がより高くなる。アクティブなサブバンド当りの受信された信号品質は、そのようにして部分ローディングでより高くなり、これは受信機においてサブバンドに対する信号対ノイズ比を改善する。
【００５０】
直交部分ローディング及びランダム部分ローディングは、データ・サブバンドだけに対して、パイロット・サブバンドだけに対して、又はデータ・サブバンド及びパイロット・サブバンドの両者に対して実行されることができる。直交部分ローディング及びランダム部分ローディングは、より低い全体のスループットという犠牲を払って交信可能範囲を改善できる。これは、より数少ないサブバンドが部分ローディングを用いたデータ送信のために使用され、そしてより数少ない情報ビットがこれらの数少ないサブバンド上で各シンボル・ピリオドにおいて送られることができるためである。ローカル送信のために使用するサブバンドの数は、改善された交信可能範囲と全体のスループットとの間のトレード・オフに基づいて選択されることができる。
【００５１】
ネットワークは、送信モード、又は簡単に“モード（mode）”、のセットをサポートできる。各モードは、特定のコーディング・スキーム又はコード・レート、特定の変調スキーム、特定のスペクトル効率、及び指定された性能の水準、例えば、フェーディングのないＡＷＧＮチャネルのための１％パケット・エラー・レート（packet error rate）（ＰＥＲ）、を達成するために必要とされる特定の最小ＳＩＮＲに関係付けられる。スペクトル効率は、変調シンボル当たりの情報ビットの単位で与えられることができ、そしてコード・レート及び変調スキームに基づいて決定される。一般に、より低いスペクトル効率のモードは、より低い必要とされるＳＩＮＲを有する。各モードに対して、必要とされるＳＩＮＲは、（コード・レート、インターリービング・スキーム、及びそのモードに対して使用される変調スキームのような）固有のシステム設計に基づいて、そして特定のチャネル・プロフィールに対して取得されることができる。必要とされるＳＩＮＲは、コンピュータ・シミュレーション、経験的な測定値、及びその他によって決定されることができる。
【００５２】
ローカル送信に対する交信可能地域は、ローカル送信のために使用する適切なモードを選択することによって調節されることができる。より低い必要とされるＳＩＮＲを有するモードは、隣接するローカル・エリアの境界に近くで交信可能範囲を拡張するためにローカル送信に対して使用されることができる。ローカル送信に対して使用する特定のモードは、改善された交信可能範囲とスペクトル効率との間のトレード・オフに基づいて選択されることができる。ワイド・エリア送信に対する交信可能範囲は、ワイド・エリア送信のために使用する適切なモードを選択することによって同様に調節されることができる。一般に、同じモード又は異なるモードがローカル送信及びワイド・エリア送信に対して使用されることができる。
【００５３】
ローカル送信に対する交信可能範囲は、部分ローディング及び／又はモード選択を用いて改善されることができる。交信可能範囲は、使用可能なサブバンドのより小さな割合を使用して及び／又はより低いスペクトル効率を有するモードを選択することによって拡張されることができる。情報ビット・レート（Ｒ）は、Ｒ＝η×Ｋとして表されることができ、ここで、ηは、選択されたモードに関するスペクトル効率であり、そしてＫは、アクティブなサブバンドの数である。所与の情報ビット・レートは、（１）全てのデータ・サブバンドのサブセット及びより高いスペクトル効率を有するモード、又は（２）全てのデータ・サブバンド及びより低いスペクトル効率を有するモード、を使用することによって実現されることができる。ある種の動作シナリオに対して（例えば、ランダム部分ローディングに対して、そして干渉推定を用いないで）、オプション（２）は、オプション（１）よりもより良い性能（例えば、所与のＰＥＲに対してより広い交信可能範囲）を提供できることが示される。
【００５４】
３．パイロット送信
図７は、ローカル送信及びワイド・エリア送信の両者をサポートすることが可能なパイロット送信スキームを示す。簡単のために、図７は、スーパー・フレームの１フレームの間のパイロット送信を示す。各基地局は、ローカル・フィールド／送信とワイド・エリア・フィールド／送信との間に遷移パイロットを送信する。各基地局は、同様に、データ送信を有する各シンボル・ピリオドにおいて１個のインターレース上にＦＤＭパイロットを送信する。図７に示された実施形態に関して、８個のインターレースが各シンボル・ピリオドにおいて利用可能であり、そしてＦＤＭパイロットが、偶数のシンボル・ピリオド・インデックスにおいてインターレース３上に送信され、そして奇数シンボル・ピリオド・インデックスにおいてインターレース７上に送信される。これは、｛３，７｝の互い違いのパターン（staggering pattern）として記されることができる。ＦＤＭパイロットは、同様に、その他の互い違いのパターン、例えば、｛１，２，３，４，５，６，７，８｝パターン及び｛１，４，７，２，５，８，３，６｝パターンを用いて送信されることができる。
【００５５】
図７に示されたように、ＦＤＭパイロットは、ワイド・エリア送信の間に、同様にローカル送信の間に送信される。ＦＤＭパイロットは、（１）ワイド・エリア送信に対するチャネル推定値、これはワイド・エリア・チャネル推定値とも呼ばれる、及び（２）ローカル送信に対するチャネル推定値、これはローカル・チャネル推定値とも呼ばれる、を導出するために使用されることができる。ローカル・チャネル推定値及びワイド・エリア・チャネル推定値は、それぞれローカル送信及びワイド・エリア送信のためのデータ検出のために、そしてデコーディングのために使用されることができる。
【００５６】
ワイド・エリア送信の間に送信されたＦＤＭパイロットは、ワイド・エリアＦＤＭパイロットと呼ばれ、そしてワイド・エリア・チャネル推定を容易にするために設計されることができる。同じワイド・エリアＦＤＭパイロットは、全体のワイド・エリアにわたって送信されることができる。ローカル送信の間に送信されたＦＤＭパイロットは、ローカルＦＤＭパイロットと呼ばれ、そしてローカル・チャネル推定を容易にするために設計されることができる。異なるローカルＦＤＭパイロットは、異なるローカル・エリアに対して送信されることができて、ワイアレス・デバイスが異なるローカル・エリアに対するローカル・チャネル推定値を取得することを可能にする。異なるローカル送信に対するＡＬＣＩと同様に、異なるローカルＦＤＭパイロットは、隣接するローカル・エリアの境界において互いに干渉する。ローカルＦＤＭパイロットは、良いローカル・チャネル推定値が隣接するローカル・エリアからのパイロット干渉の存在下で導出されることができるように設計されることができる。これは、下記に説明されるように、周波数、時間、及び／又はコード・ドメインにおいて異なるローカル・エリアに対するローカルＦＤＭパイロットを直交化することによって又はランダム化することによって実現されることができる。
【００５７】
図７は、同様に、ローカルＦＤＭパイロットの実施形態も示す。Ｐ個の変調シンボルのセットは、ローカルＦＤＭパイロットのためのＰ個のパイロット・サブバンドに対して使用される。Ｐ個の変調シンボルは、ローカルＦＤＭパイロットに対するパイロット・シンボルを発生させる周波数にわたり複素値の第１のシーケンスと掛け算される及び／又はその時間にわたり複素値の第２のシーケンスと掛け算されることができる。第１のシーケンスは、｛Ｓ（ｋ）｝として表され、ここで、Ｓ（ｋ）はサブバンドｋに対する複素値である。第２のシーケンスは、｛Ｃ（ｎ）｝として表され、ここで、Ｃ（ｎ）はシンボル・ピリオドｎに対する複素値である。異なる特性が、異なるタイプの第１のシーケンス及び第２のシーケンスを使用することによってローカルＦＤＭパイロットに対して得られることができる。
【００５８】
ＰＮ発生器は、第１の複素値のシーケンスを発生させるために使用されることができる。ＰＮ発生器は、選択された生成元多項式、例えば、ｇ（ｘ）＝ｘ１５＋ｘ１４＋１、を与える線形フィードバック・シフト・レジスタ（linear feedback shift resister）（ＬＦＳＲ）であり得る。ＰＮ発生器は、各シンボル・ピリオドの開始において特定のシード値（又は初期状態）に初期化され、そして擬似ランダム・ビットのシーケンスを発生させる。これらのビットは、第１のシーケンスに対する複素値を生成するために使用される。
【００５９】
所与のローカル・エリアに対するローカルＦＤＭパイロットのためのパイロット・シンボルは、次式で表されることができる：
Ｐ（ｋ，ｎ）＝Ｓ（ｋ）・Ｃ（ｎ）                                式（１）
ここで、Ｐ（ｋ，ｎ）は、シンボル・ピリオドｎ中のサブバンドｋに対するパイロット・シンボルである。式（１）は、ローカルＦＤＭパイロットのために使用される変調シンボルが１＋ｊ０の値を有すると仮定する。
【００６０】
ワイアレス・デバイスにおいて受信されたパイロット・シンボルは、次式のように表されることができる：
Ｙ（ｋ，ｎ）＝Ｈ（ｋ，ｎ）・Ｐ（ｋ，ｎ）
＋ＨＩ（ｋ，ｎ）・ＰＩ（ｋ，ｎ）＋ｗ（ｋ，ｎ）      式（２）ここで、Ｐ（ｋ，ｎ）は、所望のローカル・エリア内の基地局（すなわち、所望の基地局）によってシンボル・ピリオドｎ中のサブバンドｋ上に送られたパイロット・シンボルであり；
Ｈ（ｋ，ｎ）は、所望の基地局に対する実際のチャネル応答であり；
ＰＩ（ｋ，ｎ）は、隣接するローカル・エリア内の干渉している基地局によってシンボル・ピリオドｎ中のサブバンドｋ上に送られたパイロット・シンボルであり；
ＨＩ（ｋ，ｎ）は、干渉している基地局に対する実際のチャネル応答であり；
Ｙ（ｋ，ｎ）は、シンボル・ピリオドｎ中のサブバンドｋの間に受信されたパイロット・シンボルであり；そして
ｗ（ｋ，ｎ）は、シンボル・ピリオドｎ中のサブバンドｋに対するノイズである。
【００６１】
簡単のために、式（２）は、１つの所望の基地局及び１つの干渉している基地局の存在を仮定し、これは、添え字Ｉによって表される。
【００６２】
異なるローカル・エリアに対するローカルＦＤＭパイロットは、これらのローカルＦＤＭパイロットをそれぞれ異なるシンボル・ピリオド及び／又は異なるサブバンド中で送信することによって時間及び／又は周波数において直交化されることができる。しかしながら、より数少ないパイロット・シンボルが各ローカル・エリアにおけるローカルＦＤＭパイロットに対して送られるはずであり、そしてそのようにしてより数少ないパイロット・シンボルがローカル・チャネル推定のために利用可能であるはずである。
【００６３】
異なるローカル・エリアに対するローカルＦＤＭパイロットは、同様に、これらのローカルＦＤＭパイロットに対して、それぞれ異なる直交シーケンス及び／又は擬似ランダム・シーケンスを使用することによってコード・ドメイン中で直交化されそして／又はランダム化されることができる。各種のコード直交化技術／ランダム化技術がローカルＦＤＭパイロットに対して使用されることができ、直交スクランブリング、ランダム・スクランブリング、及び直交及びランダム・スクランブリングを含む。
【００６４】
直交スクランブリングに関して、異なるローカル・エリアに対するローカルＦＤＭパイロットは、複数のシンボル・ピリオドにわたり複数の直交シーケンスで掛け算される。所望のローカル・エリア及び干渉しているローカル・エリアに対するパイロット・シンボルは、それから次式で表される：
Ｐ（ｋ，ｎ）＝Ｓ（ｋ）・Ｃ（ｎ）
そして  ＰＩ（ｋ，ｎ）＝Ｓ（ｋ）・ＣＩ（ｎ）        式（３）ここで、｛Ｃ（ｎ）｝は、｛ＣＩ（ｎ）｝に直交する。式（３）に示されたように、同一のＰＮシーケンスが所望のローカル・エリア及び干渉しているローカル・エリアの両者に対する複素値｛Ｓ（ｋ）｝の第１のシーケンスを発生させるために使用される。しかしながら、異なる直交シーケンス｛Ｃ（ｎ）｝及び｛ＣＩ（ｎ）｝が、所望のローカル・エリア及び干渉しているローカル・エリアに対して使用される。
【００６５】
ワイアレス・デバイスは、ローカルＦＤＭパイロットのために使用される各パイロット・サブバンドに対する複素チャネル利得推定値をまず取得することによってローカル・チャネル推定値を導出でき、次式のようである：
Ｈ＾ｐ（ｋ）＝Ｐ（ｋ，ｎ）／Ｓ（ｋ）                            式（４）
式（４）は、複数のパイロット・サブバンドにわたるＰＮシーケンスの効果を取り除き、これはデスクランブリングとも呼ばれる。ワイアレス・デバイスは、Ｐ個の一様に分散されたパイロット・シンボルに対するＰ個のチャネル利得推定値を取得する。ワイアレス・デバイスは、次に、Ｐ個のチャネル利得推定値にＰ点の逆離散型フーリエ変換（inverse discrete Fourier Transform）（ＩＤＦＴ）を実行して、Ｐタップ最小二乗インパルス応答推定値を取得する。これは次式のように表される：
ｈ＾ｏｓ（ｌ，ｎ）＝ｈ（ｌ）・Ｃ（ｎ）＋ｈＩ（ｌ）・ＣＩ（ｎ）＋ｗ（ｌ，ｎ）                                                                    式（５）
ここで、ｌは、インパルス応答推定値のＰ’チャネル・タップに対するインデックスであり；
ｈ（ｌ）は、所望の基地局に対する実際のインパルス応答であり；
ｈＩ（ｌ）は、干渉している基地局に対する実際のインパルス応答であり；
ｈ＾ｏｓ（ｌ，ｎ）は、シンボル・ピリオドｎに対する最小二乗インパルス応答推定値であり、ここで、添え字“ｏｓ”は、直交スクランブリングを表し；そして
ｗ（ｌ，ｎ）は、シンボル・ピリオドｎにおけるノイズである。
【００６６】
式（５）は、各基地局に対する実際のチャネル・インパルス応答が関心のある時間の期間にわたって一定であり、その結果、ｈ（ｌ）及びｈＩ（ｌ）は、シンボル・ピリオドｎの関数ではないと仮定する。
【００６７】
所望のローカル・エリアに対するインパルス応答推定値ｈ〜ｏｓ（ｌ）は、その時には異なる複数のシンボル・ピリオドの間の最小二乗インパルス応答推定値をフィルタリングすることによって取得されることができ、次式のようになる：
【数１】
2010226735.tif 000004
【００６８】
ここで、Ｃ（ｎ）及びＣＩ（ｎ）が直交シーケンスであるので、
【数２】
2010226735.tif 000005
【００６９】
であり
ｗ〜（ｌ，ｎ）は、後処理されたノイズであり；そして
Ｌは、直交シーケンスの長さ（例えば、Ｌ＝３）である。
【００７０】
式（６）の合計のインデックスは、Ｌの奇数値に対してであり、そしてＬの偶数値に対するものとは異なる。干渉しているローカル・エリアの内部に位置するワイアレス・デバイスは、ｈ＾ｏｓ（ｌ，ｎ）をＣ＊Ｉ（ｎ）で掛け算することによって、そして直交シーケンスの長さにわたって積分することによって、そのローカル・エリアに対するインパルス応答推定値ｈ〜ｏｓ，Ｉ（ｌ）を導出できる。式（６）に示されたように、直交スクランブリングは、隣接するローカル・エリアからのパイロット干渉をキャンセルできる。しかしながら、この直交性は、チャネル時間変動によって妨害されることがある。
【００７１】
直交シーケンスは、種々の方式で規定されることができる。１つの実施形態では、直交シーケンスは、次のように規定される：
Ｃ（ｎ）＝１  そして  ＣＩ（ｎ）＝ｅｊ２π・ｎ／Ｌ，  
ｎ＝０．．．．（Ｌ−１）に対して        式（７）  ランダム・スクランブリングに関して、所望のローカル・エリアに対するパイロット・シンボルは、干渉しているローカル・エリアに対するパイロット・シンボルに関して擬似ランダムである。パイロット・シンボルは、時間、周波数、及びローカル・エリアにわたり独立でありそして一様に分散された（ｉ．ｉ．ｄ．）と考えられることができる。擬似ランダム・パイロット・シンボルは、異なるシード値を用いて異なるローカル・エリアに対するＰＮ発生器を初期化することによって取得されることができ、シード値は、シンボル・ピリオドｎ及びローカル・エリア識別名に依存する。
【００７２】
ランダム・スクランブリングに関して、最小二乗インパルス応答推定値ｈ＾ｒｓ（ｌ）は、下記を実行することによって取得されることができる、（１）所望のローカル・エリアに対するＰＮシーケンスを取り除くために式（４）に示されたようにデスクランブリングすること、（２）Ｐ個のチャネル利得推定値を取得するために後処理をすること、及び（３）上に説明したように、Ｐ個のチャネル利得推定値にＩＤＦＴを実行する。最小二乗インパルス応答推定値は、次式のように表されることができる：
ｈ＾ｒｓ（ｌ）＝ｈ（ｌ）＋ｇＩ（ｌ）＋ｗ（ｌ，ｎ）              式（８）
ここで、ｇＩ（ｌ，ｎ）は、ｈ＾ｒｓ（ｌ）のｌ番目のタップへの干渉であり、そして添え字“ｒｓ”は、ランダム・スクランブリングを表す。干渉ｇＩ（ｌ，ｎ）は、ローカル・エリア及び干渉しているローカル・エリアに対する複数のＰＮシーケンスによってｈ＾ｒｓ（ｌ）のＰ個のタップにわたって不鮮明にされている干渉しているローカル・エリアに対するチャネル・インパルス応答ｈＩ（ｌ）からの結果である。最小二乗インパルス応答推定値は、インパルス応答が所望のローカル・エリアに対して推定するので直接使用されることができる。式（８）は、ランダム・スクランブリングが隣接するローカル・エリアからのパイロット干渉を完全に不鮮明にする（そして、抑制しない及びキャンセルしない）だけであることを示す。スレッショルディング（thresholding）は、予め決められたしきい値を越えるチャネル・タップを保持するように、そして予め決められたしきい値より下のチャネル・タップを無くすように実行されることができる。スレッショルディングは、パイロット干渉の多くを削除でき、そして直交スクランブリングを用いて実現されるものと同等の性能を提供できる。その上、ランダム・スクランブリングを用いると、チャネル推定性能は、直交性に依存せず、そしてある種の動作環境においてより強いことがある。
【００７３】
直交スクランブリング及びランダム・スクランブリングに関して、異なるローカル・エリアに対するローカルＦＤＭパイロットは、複数のサブバンドにわたって異なるＰＮシーケンスで掛け算され、そして複数のシンボル・ピリオドにわたって異なる直交シーケンスでさらに掛け算される。所望のローカル・エリア及び干渉しているローカル・エリアに対するパイロット・シンボルは、次式で表されることができる：
Ｐ（ｋ，ｎ）＝Ｓ（ｋ）・Ｃ（ｎ）  及びＰＩ（ｋ，ｎ）＝ＳＩ（ｋ）・ＣＩ（ｎ）                                                                    式（９）
ここで、｛Ｓ（ｋ）｝及び｛ＳＩ（ｋ）｝は、異なる擬似ランダム・シーケンスであり、｛Ｃ（ｎ）｝及び｛ＣＩ（ｎ）｝は、異なる直交シーケンスである。
【００７４】
直交スクランブリング及びランダム・スクランブリングに関して、最小二乗インパルス応答推定値ｈ＾ｏｒ（ｌ，ｎ）は、直交スクランブリングに対して上記に説明された処理を実行することによって取得されることができる。最小二乗インパルス応答推定値は、次式で表されることができる：
ｈ＾ｏｒ（ｌ，ｎ）＝ｈ（ｌ）・Ｃ（ｎ）＋ｇＩ（ｌ）・ＣＩ（ｎ）＋ｗ（ｌ，ｎ）                                                                    式（１０）ここで、添え字“ｏｒ”は、直交スクランブリング及びランダム・スクランブリングを表す。所望のローカル・エリアに対するインパルス応答推定値ｈ〜ｏｒ（ｌ）は、式（６）に示したように、ｈ＾ｏｒ（ｌ，ｎ）をＣ＊（ｎ）で掛け算し、そして直交シーケンスの長さにわたって積分することによって取得されることができる。
【００７５】
各（ローカル又はワイド）エリアに対するサンプリングされたチャネル・インパルス応答は、最大Ｎ個のタップを包含する、ここで、Ｎ＝Ｍ・Ｐである。チャネル・インパルス応答は、主チャネル及び過剰チャネル（excess channel）からなっているように見られることができる。主チャネルは、チャネル・インパルス応答の初めのＰ個のタップを包含する。過剰チャネルは、残りのＮ−Ｐ個のタップを包含する。もし、ＦＤＭパイロットがＰ個のサブバンドを有する１つのインターレース上に送信される場合に、Ｐ個のタップを有するインパルス応答推定値ｈ〜ｏｓ（ｌ），ｈ＾ｒｓ（ｌ），又はｈ〜ｏｒ（ｌ）は、受信されたＦＤＭパイロットに基づいて取得されることができる。一般に、インパルス応答推定値の長さは、ＦＤＭパイロットに対して使用される異なるサブバンドの数によって決められる。Ｐ個より多くのタップを有するより長いチャネル・インパルス応答推定値は、より多くのインターレース上にＦＤＭパイロットを送信することによって取得されることができる。例えば、ＦＤＭパイロットは、図７に示されたように、異なるシンボル・ピリオドにおいて２つの異なるインターレース上に送信されることができる。主チャネル及び過剰チャネルに対する時間ドメイン・フィルタの係数を導出するための技術は、共通の譲渡された米国特許出願第１０／９２６，８８４、名称“チャネル推定及び時間トラッキングのための互い違いにされたパイロット送信（Staggered Pilot Transmission for Channel Estimation and Time Tracking）”、２００４年８月２５日出願、に記載されている。
【００７６】
異なるチャネル推定値が、ローカル・エリア及びワイド・エリアに対して取得されることができる。ワイアレス・デバイスは、ワイド・エリア送信に対してローカル送信よりも遠く離れている基地局から信号を受信できる。その結果、ワイド・エリア送信に対する遅延拡散は、ローカル送信に対する遅延拡散よりもより長くなることがある。（例えば、長さ３Ｐの）より長いチャネル・インパルス応答推定値が、ワイド・エリアに対して導出されることができる。（例えば、長さ２Ｐの）より短いチャネル・インパルス応答推定値が、ローカル・エリアに対して導出されることができる。
【００７７】
ワイド・エリアに対するより長いインパルス応答推定値は、ワイド・エリアのためのＦＤＭパイロットに対してより多くのインターレースを使用することによって取得されることができる。あるいは、同じ数のインターレースが、ローカル・エリア及びワイド・エリアの両者のためのＦＤＭパイロットに対して使用されることができ、そして異なる時間ドメイン・フィルタが、ローカル・エリア及びワイド・エリアに対して使用されることができる。ワイド・エリアに対する最小二乗インパルス応答推定値は、１又はそれより多くの時間ドメイン・フィルタの第１のセットを用いてフィルタされることができて、ワイド・エリアに対して所望の数のタップ（例えば、３Ｐ個のタップ）を有するフィルタされたインパルス応答推定値を導出する。所望のローカル・エリアに対する最小二乗インパルス応答推定値は、時間ドメイン・フィルタの第２のセットを用いてフィルタされて、所望のローカル・エリアに対する所望の数のタップ（例えば、２Ｐ個のタップ）を有するフィルタされたインパルス応答推定値を導出する。
【００７８】
一般に、チャネル推定のための時間ドメイン・フィルタリングは、例えば、ＦＤＭパイロットが送信される方式、ＦＤＭパイロットのために使用されたインターレースの数、チャネル・インパルス応答推定値のための所望の長さ（又はタップの数）、干渉抑制及びその他のような、種々の考慮に基づいて実行されることができる。時間ドメイン・フィルタリングは、ローカル・エリア及びワイド・エリアに対するＦＤＭパイロットとは異なるように実行されることができて、ローカル・エリア及びワイド・エリアに対する異なるフィルタされたチャネル応答推定値を得る。
【００７９】
所与の（ローカル又はワイド）エリアに対するフィルタされたインパルス応答推定値は、性能をさらに改善するために後処理されることができる。後処理することは、例えば、最後のＺ個のタップをゼロに設定すること、ここで、Ｚは任意の整数値であることができる、予め決められたしきい値より下のエネルギーを有するタップをゼロに設定すること（スレッショルディング）、及びその他を含むことができる。後処理されたチャネル・タップは、ＤＦＴを用いて変換されることができて、データ検出及びデコーディングのために使用される最終の周波数応答推定値を得る。
【００８０】
図５に戻って参照して、遷移パイロットは、チャネル推定、時間同期化、捕捉（例えば、自動利得制御（automatic gain control（ＡＧＣ））及びその他、のために使用されることができる。例えば、遷移パイロットは、ＦＤＭパイロットを含むことができ、その結果、各シンボル・ピリオドに対する時間ドメイン・フィルタリングは、現在のシンボル・ピリオドに対して取得された受信されたパイロット・シンボルに対して、少なくとも１つの早い方のシンボル・ピリオドに対して、そして少なくとも１つの遅い方のシンボル・ピリオドに対して実行されることができる。遷移パイロットは、しかも、ローカル送信と同様にワイド・エリア送信に対する改善されたタイミングを取得するために使用されることができる。
【００８１】
４．同報通信送信及び受信
図８は、ネットワーク１００においてローカル送信及びワイド・エリア送信を同報通信するためのプロセス８００のフロー図を示す。ネットワーク内の各基地局は、各スケジューリング・インターバルにおいてプロセス８００を実行できる。インターバルは、例えば、図３ＡのＦＤＭ構成３００に関する各シンボル・ピリオド、図４ＡのＴＤＭ構成４００に関する各フレーム、又は図５のスーパー・フレーム構成５００に関するスーパー・フレームであり得る。
【００８２】
ワイド・エリア送信のためのデータは、ワイド・エリア送信のために選択された第１のコーディング・スキーム及び変調スキーム（又はモード）にしたがって処理されて、ワイド・エリア送信のためのデータ・シンボルを発生する（ブロック８１２）。ローカル送信のためのデータは、ローカル送信のために選択された第２のコーディング・スキーム及び変調スキームにしたがって処理されて、ローカル送信のためのデータ・シンボルを発生する（ブロック８１４）。異なるコーディング・スキーム及び変調スキームがローカル送信及びワイド・エリア送信に対して使用されることができて、所望の交信可能範囲を実現する。ローカル送信及びワイド・エリア送信に関するオーバーヘッド情報が、決定される（ブロック８１６及び８１８）。ワイド・エリアのためのＦＤＭパイロット、ローカル・エリアのためのＦＤＭパイロット、及び遷移パイロットが、発生される（それぞれ、ブロック８２２，８２４、及び８２６）。
【００８３】
ワイド・エリア送信に関するオーバーヘッド情報及びローカル送信に関するオーバーヘッド情報は、それらに指定された送信スパン上へとマルチプレックスされる（ブロック８３２及び８３４）。ワイド・エリア送信のためのデータ・シンボルは、ワイド・エリア送信に対して割り当てられた送信スパン上へとマルチプレックスされ（ブロック８３６）、そしてワイド・エリアＦＤＭパイロットのためのパイロット・シンボルは、このパイロットに対して割り当てられた送信スパン上へとマルチプレックスされる（ブロック８３８）。同様に、ローカル送信のためのデータ・シンボルは、ローカル送信に対して割り当てられた送信スパン上へとマルチプレックスされ（ブロック８４０）、そしてローカルＦＤＭパイロットのためのパイロット・シンボルは、このパイロットに対して割り当てられた送信スパン上へとマルチプレックスされる（ブロック８４２）。各送信スパンは、（例えば、ＦＤＭ構成３００に対して）サブバンドのグループ、（例えば、ＴＤＭ構成４００に対して）時間セグメント、（例えば、スーパー・フレーム構成５００に対して）時間セグメント中のサブバンドのグループ、又はあるその他の時間−周波数割り当てに対応することができる。ＴＤＭパイロット及び遷移パイロット、その他のシグナリング、及びその他のデータは、同様にマルチプレックスされることができる（ブロック８４４）。ローカル送信及びワイド・エリア送信のためのマルチプレックスされたオーバーヘッド情報、パイロット、及びデータは、その後同報通信される（ブロック８４６）。
【００８４】
図９は、ネットワーク１００によるローカル送信及びワイド・エリア送信同報通信を受信するためのプロセス９００のフロー図を示す。ネットワーク内のワイアレス・デバイスは、各スケジューリング・インターバルにおいてプロセス９００を実行できる。
【００８５】
ワイアレス・デバイスは、ローカル送信及びワイド・エリア送信の両者で同報通信送信を受信する（ブロック９１２）。ワイアレス・デバイスは、フレーム・タイミング及びシンボル・タイミングを取得するためにＴＤＭパイロットを処理し、周波数エラーを推定しそして補正し、そしてその他を行う（ブロック９１４）。ワイアレス・デバイスは、それぞれＷＩＣ及びＬＩＣを使用して取り扱われようとしているワイド・エリア・チャネル及びローカル・チャネルを識別し、これは、図５に示されている（ブロック９１６）。ワイアレス・デバイスは、受信された同報通信送信からローカル送信、ワイド・エリア送信、又はローカル送信及びワイド・エリア送信の両者をその後で再生できる。
【００８６】
ブロック９２０において決定されるように、もしワイアレス・デバイスがワイド・エリア送信を受信しているのであれば、ワイアレス・デバイスは、ワイド・エリア送信に関するオーバーヘッド情報をデマルチプレックスしそして処理して、関心のある各ワイド・エリア・チャネルの時間−周波数位置を決定する（ブロック９２２）。ワイアレス・デバイスは、同様に、ワイド・エリアＦＤＭパイロット及び遷移パイロットに対して割り当てられた送信スパンからワイド・エリアＦＤＭパイロット及び遷移パイロットをデマルチプレックスしそして処理し（ブロック９２４）、そしてワイド・エリアに対するチャネル推定値を導出する（ブロック９２６）。ワイアレス・デバイスは、ワイド・エリア送信に対して割り当てられた送信スパンから関心のあるワイド・エリア・チャネルのためのデータ・シンボルをデマルチプレックスする（ブロック９２８）。ワイアレス・デバイスは、それからワイド・エリア・チャネル推定値を用いてそしてさらにワイド・エリア送信に対して適用可能な復調スキーム及びデコーディング・スキームにしたがってワイド・エリア送信のためのデータ・シンボルを処理し、そして関心のある各ワイド・エリア・チャネルに対するデータを再生する（ブロック９３０）。
【００８７】
ブロック９４０において決定されるように、ワイアレス・デバイスがローカル送信を受信しているのであれば、ワイアレス・デバイスは、ローカル送信に関するオーバーヘッド情報をデマルチプレックスし、そして処理して、関心のある各ローカル・チャネルの時間−周波数位置を決定する（ブロック９４２）。ワイアレス・デバイスは、しかも、ローカルＦＤＭパイロット及び遷移パイロットに対して割り当てられた送信スパンからローカルＦＤＭパイロット及び遷移パイロットをデマルチプレックスし、そして処理し（ブロック９４４）、そして所望のローカル・エリアに対するチャネル推定値を導出する（ブロック９４６）。ワイアレス・デバイスは、ローカル送信に対して割り当てられた送信スパンから関心のあるローカル・チャネルのためのデータ・シンボルをデマルチプレックスする（ブロック９４８）。ワイアレス・デバイスは、それからローカル・チャネル推定値を用いて、さらにローカル送信に対して適用可能な復調スキーム及びデコーディング・スキームにしたがってローカル送信のためのデータ・シンボルを処理し、そして関心のある各ローカル・チャネルに対するデータを再生する（ブロック９５０）。
【００８８】
もし、ワイアレス・デバイスがローカル送信及びワイド・エリア送信の両者を受信しているのであれば、ワイアレス・デバイスは、図９に示された順序とは異なる順序で処理を実行できる。例えば、ワイアレス・デバイスは、このオーバーヘッド情報が受信されたままで、ローカル送信及びワイド・エリア送信の両者に関するオーバーヘッド情報をデマルチプレックスできそして処理できる。
【００８９】
５．システム
図１０は、図１のワイアレス同報通信ネットワーク１００内の基地局１０１０及びワイアレス・デバイス１０５０のブロック図を示す。基地局１０１０は、一般に固定局であり、そしてしかも、アクセス・ポイント、送信機、又はある種のその他の術語で呼ばれることができる。ワイアレス・デバイス１０５０は、固定又は移動可能であり、そして、しかもユーザ端末、移動局、受信機、又はある種のその他の術語で呼ばれることができる。ワイアレス・デバイス１０５０は、同様に、セルラ電話機、ハンドヘルド装置、ワイアレス・モジュール、パーソナル・ディジタル・アシスタント（personal digital assistant）（ＰＤＡ）及びその他のような、携帯型ユニットであることができる。
【００９０】
基地局１０１０において、送信（ＴＸ）データ・プロセッサ１０２２は、ソース１０１２からワイド・エリア送信に関するデータを受信し、ワイド・エリア・データを処理し（例えば、エンコードし、インターリーブし、そしてシンボル・マッピングし）、そして、ワイド・エリア送信のためのデータ・シンボルを発生する。データ・シンボルは、データに対する変調シンボルであり、そして変調シンボルは、変調スキーム（例えば、Ｍ−ＰＳＫ，Ｍ−ＱＡＭ、及びその他）に対する１つのコンステレーション内の１点に対する複素値である。ＴＸデータ・プロセッサ１０２２は、同様に、そこに基地局１０１０が属するワイド・エリアに対するＦＤＭパイロット及び遷移パイロットも発生し、そしてマルチプレクサ（Ｍｕｘ）１０２６にワイド・エリアのためのデータ・シンボル及びパイロット・シンボルを与える。ＴＸデータ・プロセッサ１０２４は、ソース１０１４からローカル送信に対するデータを受信し、ローカル・データを処理し、そしてローカル送信のためのデータ・シンボルを発生する。ＴＸデータ・プロセッサ１０２４は、同様に、そこに基地局１０１０が属するローカル・エリアに対するＦＤＭパイロット及び遷移パイロットも発生し、そしてマルチプレクサ（Ｍｕｘ）１０２６にローカル・エリアのためのデータ・シンボル及びパイロット・シンボルを与える。データに対するコーディング及び変調は、例えば、データがワイド・エリア送信に対してであるか又はローカル送信に対してであるかどうか、データ・タイプ、データに対する所望の交信可能範囲、及びその他のような各種の要因に基づいて選択されることができる。
【００９１】
マルチプレクサ１０２６は、ローカル・エリア及びワイド・エリアのためのデータ・シンボル及びパイロット・シンボルをオーバーヘッド情報に対するシンボル及びＴＤＭパイロットと同様にこれらのシンボルに対して割り当てられたサブバンド及びシンボル・ピリオド上へとマルチプレックスする。モジュレータ（Ｍｏｄ）１０２８は、ネットワーク１００によって使用された変調技術にしたがって変調を実行する。例えば、モジュレータ１０２８は、マルチプレックスされたシンボルにＯＦＤＭ変調を実行することができて、ＯＦＤＭシンボルを発生させる。送信機ユニット（ＴＭＴＲ）１０３２は、モジュレータ１０２８からのシンボルを１又はそれより多くのアナログ信号に変換し、そしてさらに（複数の）アナログ信号を調整して（例えば、増幅し、フィルタし、そして周波数アップコンバートして）、変調された信号を発生させる。基地局１０１０は、その後、ネットワーク内のワイアレス・デバイスにアンテナ１０３４を介して変調された信号を送信する。
【００９２】
ワイアレス・デバイス１０５０において、基地局１０１０から送信された信号は、アンテナ１０５２によって受信され、そして受信機ユニット（ＲＣＶＲ）１０５４に供給される。受信機ユニット１０５４は、受信した信号を調整し（例えば、フィルタし、増幅し、そして周波数ダウンコンバートし）、そして調整された信号をディジタル化してデータ・サンプルのストリームを発生する。デモジュレータ（Ｄｅｍｏｄ）１０６０は、データ・サンプルに（例えば、ＯＦＤＭ）復調を実行し、そして同期（Ｓｙｎｃ）／チャネル推定ユニット１０８０に受信したパイロット・シンボルを与える。ユニット１０８０は、同様に受信機ユニット１０５４からデータ・サンプルを受信し、データ・サンプルに基づいてフレーム・タイミング及びシンボル・タイミングを決定し、そしてこれらのエリアに対して受信されたパイロット・シンボルに基づいてローカル・エリア及びワイド・エリアに対するチャネル推定値を導出する。ユニット１０８０は、デモジュレータ１０６０にシンボル・タイミング及びチャネル推定値を与え、そしてデモジュレータ１０６０及び／又はコントローラ１０９０にフレーム・タイミングを与える。デモジュレータ１０６０は、ローカル・チャネル推定値を用いてローカル送信のために受信したデータ・シンボルにデータ検出を実行し、ワイド・エリア・チャネル推定値を用いてワイド・エリア送信のために受信したデータ・シンボルにデータ検出を実行し、そしてデマルチプレクサ（Ｄｅｍｕｘ）１０６２にローカル送信及びワイド・エリア送信のために検出されたデータ・シンボルを与える。検出されたデータ・シンボルは、基地局１０１０によって送られたデータ・シンボルの推定値であり、そして対数確度比（log-likelihood ratio）（ＬＬＲ）又はその他の形式で与えられることができる。
【００９３】
デマルチプレクサ１０６２は、受信（ＲＸ）データ・プロセッサ１０７２に関心のある全てのワイド・エリア・チャネルに対して検出されたデータ・シンボルを与え、そしてＲＸデータ・プロセッサ１０７４に関心のある全てのローカル・チャネルに対して検出されたデータ・シンボルを与える。ＲＸデータ・プロセッサ１０７２は、適用可能な復調スキーム及びデコーディング・スキームにしたがってワイド・エリア送信のために検出されたデータ・シンボルを処理し（例えば、デインターリーブしそしてデコードし）、そしてワイド・エリア送信のためにデコードされたデータを与える。ＲＸデータ・プロセッサ１０７４は、適用可能な復調スキーム及びデコーディング・スキームにしたがってローカル送信のために検出されたデータ・シンボルを処理し、そしてローカル送信のためにデコードされたデータを与える。一般に、ワイアレス・デバイス１０５０におけるデモジュレータ１０６０、デマルチプレクサ１０６２、及びＲＸデータ・プロセッサ１０７２と１０７４による処理は、基地局１０１０におけるそれぞれモジュレータ１０２８，マルチプレクサ１０２６、及びＴＸデータ・プロセッサ１０２２と１０２４による処理に対して相補的である。
【００９４】
コントローラ１０４０及び１０９０は、それぞれ基地局１０１０及びワイアレス・デバイス１０５０における動作を管理する。メモリ・ユニット１０４２及び１０９２は、それぞれコントローラ１０４０及び１０４９によって使用されるプログラム・コード及びデータを記憶する。スケジューラ１０４４は、ローカル送信及びワイド・エリア送信の同報通信を計画し、そして異なる送信タイプに対するリソースを割り当てそして指定する。
【００９５】
明確にするために、図１０は、基地局１０１０及びワイアレス・デバイス１０５０の両者において２つの異なるデータ・プロセッサによって実行されているローカル送信及びワイド・エリア送信のためのデータ処理を示す。全てのタイプの送信のためのデータ処理は、基地局１０１０及びワイアレス・デバイス１０５０の各々において１個のデータ・プロセッサによって実行されることができる。図１０は、しかも、２つの異なるタイプの送信のための処理も示す。一般に、異なる交信可能地域を有する任意の数の送信のタイプが、基地局１０１０によって送信され、ワイアレス・デバイス１０５０によって受信されることができる。明確にするために、図１０は、しかも、同じ場所に置かれている基地局１０１０のための全てのユニットを示す。一般に、これらのユニットは、同じ場所又は異なる場所に置かれることができ、そして種々の通信リンクを介して通信することができる。例えば、データ・ソース１０１２及び１０１４は、サイトから離れた場所に置かれることができ、送信機ユニット１０３２及び／又はアンテナ１０３４は、送信サイトに置かれることができる、等である。
【００９６】
本明細書中で（例えば、図３Ａ，図４Ａ及び図５において）説明されたマルチプレキシング・スキームは、異なるＲＦチャネル上に異なるタイプの送信を同報通信する従来のスキームに対して種々の利点を有する。第１に、本明細書中で説明されたマルチプレキシング・スキームは、各タイプの送信が１つのＲＦチャネル上に送信される代わりに全体のシステム・バンド幅にわたって送信されるので、従来のスキームよりもより大きな周波数ダイバーシティを提供できる。第２に、本明細書中で説明されたマルチプレキシング・スキームは、受信機ユニット１０５４が１つのＲＦ周波数に同調された１つのＲＦユニットを用いて全てのタイプの送信を受信しそして復調することを可能にする。これは、ワイアレス・デバイスの設計を単純化する。対照的に、従来のスキームは、異なるＲＦチャネル上に送られた異なるタイプの送信を再生するために複数のＲＦユニットを必要とすることがある。
【００９７】
無線を介して異なるタイプの送信を同報通信するために本明細書中で説明された技術は、種々の手段によって実行されることができる。例えば、これらの技術は、ハードウェア、ソフトウェア、又はこれらの組み合わせで与えられることができる。ハードウェア・インプリメンテーションに関して、異なるタイプの送信を同報通信するために使用される基地局中の処理ユニットは、１又はそれより多くの用途特定集積回路（application specific integrated circuits）（ＡＳＩＣｓ）、ディジタル・シグナル・プロセッサ（digital signal processors）（ＤＳＰｓ）、ディジタル・シグナル処理デバイス（digital signal processing devices）（ＤＳＰＤｓ）、プログラマブル・ロジック・デバイス（programmable logic devices）（ＰＬＤｓ）、フィールド・プログラマブル・ゲートアレイ（field programmable gate arrays）（ＦＰＧＡｓ）、プロセッサ、コントローラ、マイクロ−コントローラ、マイクロプロセッサ、本明細書中に説明された機能を実行するために設計された他の電子ユニット、若しくはこれらの組み合わせで与えられることができる。異なるタイプの送信を受信するために使用される基地局中の処理ユニットは、同様に、１又はそれより多くのＡＳＩＣ、ＤＳＰ、及びその他の内部に与えられることができる。
【００９８】
ソフトウェア・インプリメンテーションに関して、本明細書中に説明された技術は、本明細書中に説明された機能を実行するモジュール（例えば、手順、機能、及びその他）を用いて与えられることができる。ソフトウェア・コードは、メモリ・ユニット（例えば、図１０のメモリ・ユニット１０４２又は１０９２）中に記憶されることができ、そしてプロセッサ（例えば、コントローラ１０４０又は１０９０）によって実行されることができる。メモリ・ユニットは、プロセッサの内部に、又はプロセッサの外部に与えられることができる。この場合には、この分野で公知の種々の手段を介してプロセッサに通信的に接続されることが可能である。
【００９９】
見出しは、参照のために及びあるセクションの位置を見つけることを助けるために本明細書中に含まれる。これらの見出しは、その場所でその下に説明される概念の範囲を制限することを目的にするのではない、そしてこれらの概念は、全体の明細書を通して他のセクションにおいて適用可能性を有することがある。
【０１００】
開示された複数の実施形態のこれまでの説明は、本技術分野に知識のあるいかなる者でも、本発明を作成し、使用することを可能にするために提供される。これらの実施形態に対する種々の変形は、当業者に容易に明らかにされるであろう。そして、本明細書中に規定された一般的な原理は、本発明の精神若しくは範囲から逸脱することなく、その他の実施形態に適用されることができる。それゆえ、本発明は、本明細書中に示された複数の実施形態に限定することを意図したものではなく、本明細書中に開示された原理及び新規な機能と整合する最も広い範囲に適用されるべきである。
【図１】
2010226735.tif 000006
【図２Ａ】
2010226735.tif 000007
【図２Ｂ】
2010226735.tif 000008
【図３Ａ】
2010226735.tif 000009
【図３Ｂ】
2010226735.tif 000010
【図４Ａ】
2010226735.tif 000011
【図４Ｂ】
2010226735.tif 000012
【図５】
2010226735.tif 000013
【図６】
2010226735.tif 000014
【図７】
2010226735.tif 000015
【図８】
2010226735.tif 000016
【図９】
2010226735.tif 000017
【図１０】
2010226735.tif 000018
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
ワイアレス同報通信ネットワークにおいてデータを同報通信する方法であって、該方法は下記を具備する：
第１の送信スパン上へとワイド・エリア送信のためのデータをマルチプレキシングすること、該ワイド・エリア送信は該ネットワーク内の複数の送信機から送られる；
第２の送信スパン上へとローカル送信のためのデータをマルチプレキシングすること、該ローカル送信は該複数の送信機のサブセットから送られる；
ワイアレス・リンクを介して該ローカル送信及びワイド・エリア送信を同報通信すること；
それぞれ多重周波数ネットワーク及び単一周波数ネットワークの異なる特性に基づいてローカル送信及びワイド・エリア送信、及びこれらに関係するパイロットを送信すること。
【請求項２】
請求項１の方法、ここにおいて、異なるローカル送信は、該複数の送信機の異なるサブセットから送られる。
【請求項３】
請求項１の方法、ここにおいて、異なるワイド・エリア送信は、異なる複数の送信機から送られる。
【請求項４】
請求項１の方法であって、下記をさらに具備する：
第３の送信スパン上へとヴェニュー送信のためのデータをマルチプレキシングすること、該ヴェニュー送信は該複数の送信機の該サブセットのより小さなサブセットから送られる。
【請求項５】
請求項１の方法、ここにおいて、該ワイド・エリア送信のための該データは、該ローカル送信のための該データを用いて時間分割マルチプレックス（ＴＤＭ）される、そしてここにおいて、該第１の送信スパン及び第２の送信スパンは、予め決められた時間期間のフレームのそれぞれ第１の時間セグメント及び第２の時間セグメントである。
【請求項６】
請求項１の方法、ここにおいて、該ワイド・エリア送信のための該データは、該ローカル送信のための該データを用いて周波数分割マルチプレックス（ＦＤＭ）される、そしてここにおいて、該第１の送信スパン及び第２の送信スパンは、多重キャリア変調を用いて取得されたそれぞれ第１の周波数サブバンドのセット及び第２の周波数サブバンドのセットである。
【請求項７】
請求項１の方法、ここにおいて、ワイアレス同報通信ネットワークは、直交周波数分割マルチプレキシング（ＯＦＤＭ）を利用する。
【請求項８】
請求項７の方法、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含み、そしてここにおいて、第２の送信スパンは、フレームの第２の時間セグメント中のデータ送信のために使用可能な全ての周波数サブバンドを含む。
【請求項９】
請求項８の方法、ここにおいて、該ローカル送信のための該データは、干渉を減少させるために全ての使用可能な周波数サブバンドよりも少ないサブバンド上へとマルチプレックスされる。
【請求項１０】
請求項９の方法、ここにおいて、該複数の送信機の該サブセットからの該ローカル送信のための該データは、該複数の送信機の少なくとも１つの別のサブセットによって使用された周波数サブバンドに直交する周波数サブバンド上へとマルチプレックスされる。
【請求項１１】
請求項９の方法、ここにおいて、該ローカル送信のための該データは、使用可能な全ての周波数サブバンドの中から擬似ランダムに選択された周波数サブバンド上へとマルチプレックスされる。
【請求項１２】
請求項１の方法であって、下記をさらに具備する：
第１のコーディング・スキーム及び変調スキームにしたがって該ワイド・エリア送信のための該データを処理すること、ここにおいて、該ワイド・エリア送信のために該処理されたデータは、該第１の送信スパン上へとマルチプレックスされる；及び
第２のコーディング・スキーム及び変調スキームにしたがって該ローカル送信のための該データを処理すること、ここにおいて、該ローカル送信のために該処理されたデータは、該第２の送信スパン上へとマルチプレックスされる。
【請求項１３】
請求項１２の方法、ここにおいて、該第１のコーディング・スキーム及び第２のコーディング・スキーム及び該第１の変調スキーム及び第２の変調スキームは、それぞれ該ワイド・エリア送信及びローカル送信に対する所望の交信可能範囲に基づいて選択される。
【請求項１４】
請求項１２の方法、ここにおいて、該第２のコーディング・スキーム及び変調スキームは、該ローカル送信に対する交信可能範囲を拡張するために該第１のコーディング・スキーム及び変調スキームよりも低いスペクトル効率を有する。
【請求項１５】
請求項１２の方法、ここにおいて、該第１のコーディング・スキーム及び変調スキームは、該第２のコーディング・スキーム及び変調スキームよりも低いスペクトル効率を有する。
【請求項１６】
請求項１の方法であって、下記をさらに具備する：
その送信においてデータが送られる該送信及びデータ・タイプに基づいて該ワイド・エリア送信及びローカル送信のための該データを処理すること。
【請求項１７】
請求項１の方法であって、下記をさらに具備する：
第３の送信スパン上へと第１のパイロットをマルチプレキシングすること、該第１のパイロットは該ワイド・エリア送信に対する第１のチャネル推定値を導出するために適している；及び
第４の送信スパン上へと第２のパイロットをマルチプレキシングすること、該第２のパイロットは、該ローカル送信に対する第２のチャネル推定値を導出するために適している。
【請求項１８】
請求項１７の方法、ここにおいて、第１のパイロット及び第２のパイロットは、それぞれ異なるシンボル・ピリオド中の周波数サブバンドの異なるセット上へとマルチプレックスされる。
【請求項１９】
請求項８の方法であって、下記をさらに具備する：
第１の時間セグメントの異なるシンボル・ピリオド中のパイロット送信のために使用される周波数サブバンドの異なるセット上へと第１のパイロットをマルチプレキシングすること、該第１のパイロットは該ワイド・エリア送信に関する第１のチャネル推定値を導出するために適している；及び
第２の時間セグメントの異なるシンボル・ピリオド中のパイロット送信のために使用される周波数サブバンドの異なるセット上へと第２のパイロットをマルチプレキシングすること、該第２のパイロットは該ローカル送信に関する第２のチャネル推定値を導出するために適している。
【請求項２０】
請求項１７の方法であって、下記をさらに具備する：
該複数の送信機の該サブセットに指定された直交シーケンスを用いて該第２のパイロットを発生させること、ここにおいて、該複数の送信機の該サブセットに対する該第２のパイロットは、該複数の送信機の少なくとも１つの他のサブセットに対する少なくとも１つの他の第２のパイロットに直交する。
【請求項２１】
請求項１７の方法であって、下記をさらに具備する：
該複数の送信機の該サブセットに指定された擬似ランダム・シーケンスを用いて該第２のパイロットを発生させること、ここにおいて、該複数の送信機の該サブセットに対する該第２のパイロットは、該複数の送信機の少なくとも１つの他のサブセットに対する少なくとも１つの他の第２のパイロットに関して擬似ランダムである。
【請求項２２】
請求項１７の方法であって、下記をさらに具備する：
スケーリングされたシンボルを得るために該複数の送信機の該サブセットに指定された擬似ランダム・シーケンスと異なる周波数サブバンドに対する変調シンボルとを掛け算すること、ここにおいて、該擬似ランダム・シーケンスは、各シンボル・ピリオドに対して使用される；及び
該第２のパイロットを発生させるために該複数の送信機の該サブセットに指定された直交シーケンスと異なる周波数サブバンドに対する該スケーリングされたシンボルとを掛け算すること、ここにおいて、該複数の送信機の該サブセットに対する該第２のパイロットは、該複数の送信機の少なくとも１つの他のサブセットに対する少なくとも１つの他の第２のパイロットに関して周波数において擬似ランダムでありそして時間において直交する。
【請求項２３】
請求項１の方法であって、下記をさらに具備する：
第３の送信スパン上へと該ワイド・エリア送信に関するオーバーヘッド情報をマルチプレキシングすること；及び
第４の送信スパン上へと該ローカル送信に関するオーバーヘッド情報をマルチプレキシングすること。
【請求項２４】
請求項２３の方法、ここにおいて、該ワイド・エリア送信に関する該オーバーヘッド情報は、該ワイド・エリア送信に対する各データ・チャネルの周波数及び時間位置を指示する、及びここにおいて、該ローカル送信に関する該オーバーヘッド情報は、該ローカル送信に対する各データ・チャネルの周波数及び時間位置を指示する
【請求項２５】
請求項１の方法であって、下記をさらに具備する：
該ワイド・エリア送信を同報通信するためのデータの量及び該ローカル送信を同報通信するためのデータの量に基づいて該第１の送信スパン及び第２の送信スパンを選択すること。
【請求項２６】
請求項１の方法であって、下記をさらに具備する：
１日の時間に基づいて該第１の送信スパン及び第２の送信スパンを調節すること。
【請求項２７】
請求項１の方法であって、下記をさらに具備する：
予め決められた計画に基づいて該第１の送信スパン及び第２の送信スパンを調節すること。
【請求項２８】
ワイアレス同報通信ネットワーク内の装置であって、該装置は下記を具備する：
第１の送信スパン上へとワイド・エリア送信のためのデータを適切に受信するためそしてマルチプレックスするため、及び第２の送信スパン上へとローカル送信のためのデータを適切に受信するためそしてマルチプレックスするためのマルチプレクサ、該ワイド・エリア送信は該ネットワーク内の複数の送信機から送られる、及び該ローカル送信は該複数の送信機のサブセットから送られる；
ワイアレス・リンクを介して該ローカル送信及びワイド・エリア送信を適切に同報通信するための送信機ユニット；
それぞれ多重周波数ネットワーク及び単一周波数ネットワークの異なる特性に基づいてローカル送信及びワイド・エリア送信、及びこれらに関係するパイロットを送信すること。
【請求項２９】
請求項２８の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項３０】
請求項２８の装置であって、下記をさらに具備する：
第１のコーディング・スキーム及び変調スキームにしたがって該ワイド・エリア送信のための該データを適切に処理するための第１のデータ・プロセッサ；及び  
第２のコーディング・スキーム及び変調スキームにしたがって該ローカル送信のための該データを適切に処理するための第２のデータ・プロセッサ、そして
ここにおいて、該マルチプレクサは、第１の送信スパン上へと該ワイド・エリア送信のために該処理されたデータを適切にマルチプレックスし、及び第２の送信スパン上へと該ローカル送信のために該処理されたデータを適切にマルチプレックスする。
【請求項３１】
請求項３０の装置、ここにおいて、該第１のデータ・プロセッサは、さらに、該ワイド・エリア送信に対する第１のチャネル推定値を導出するために適している第１のパイロットを適切に発生させる、ここにおいて、該第２のデータ・プロセッサは、さらに該ローカル送信に対する第２のチャネル推定値を導出するために適している第２のパイロットを適切に発生させる、そしてここにおいて、該マルチプレクサは、さらに第１のパイロットを第３の送信スパン上へと適切にマルチプレックスし、そして該第２のパイロットを第４の送信スパン上へと適切にマルチプレックスする。
【請求項３２】
請求項２８の装置、ここにおいて、該マルチプレクサは、さらに、該ワイド・エリア送信に関するオーバーヘッド情報を第３の送信スパンへと適切にマルチプレックスし、そして該ローカル送信に関するオーバーヘッド情報を第４の送信スパンへと適切にマルチプレックスする。
【請求項３３】
請求項２８の装置であって、下記をさらに具備する：
該ワイド・エリア送信を同報通信するためのデータの量及び該ローカル送信を同報通信するためのデータの量に基づいて該第１の送信スパン及び第２の送信スパンを適切に選択するためのコントローラ。
【請求項３４】
ワイアレス同報通信ネットワーク内の装置であって、該装置は下記を具備する：
第１の送信スパン上へとワイド・エリア送信のためのデータをマルチプレックスするための手段、該ワイド・エリア送信は該ネットワーク内の複数の送信機から送られる；
第２の送信スパン上へとローカル送信のためのデータをマルチプレックスするための手段、該ローカル送信は該複数の送信機のサブセットから送られる；
リンクを介して該ローカル送信及びワイド・エリア送信のためにマルチプレックスされたデータを同報通信するための手段；
それぞれ多重周波数ネットワーク及び単一周波数ネットワークの異なる特性に基づいてローカル送信及びワイド・エリア送信、及びこれらに関係するパイロットを送信すること。
【請求項３５】
請求項３４の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項３６】
請求項３４の装置であって、下記をさらに具備する：
第１のコーディング・スキーム及び変調スキームにしたがって該ワイド・エリア送信のための該データを処理するための手段、ここにおいて、該ワイド・エリア送信のために該処理されたデータは、第１の送信スパン上へとマルチプレックスされる；及び
第２のコーディング・スキーム及び変調スキームにしたがって該ローカル送信のための該データを処理するための手段、ここにおいて、該ローカル送信のために該処理されたデータは、第２の送信スパン上へとマルチプレックスされる。
【請求項３７】
請求項３４の装置であって、下記をさらに具備する：
第３の送信スパン上へと第１のパイロットをマルチプレキシングするための手段、該第１のパイロットは該ワイド・エリア送信に対する第１のチャネル推定値を導出するために適している；及び
第４の送信スパン上へと第２のパイロットをマルチプレキシングするための手段、該第２のパイロットは該ローカル送信に対する第２のチャネル推定値を導出するために適している。
【請求項３８】
請求項３４の装置であって、下記をさらに具備する：
第３の送信スパン上へと該ワイド・エリア送信に関するオーバーヘッド情報をマルチプレキシングするための手段；及び
第４の送信スパン上へと該ローカル送信に関するオーバーヘッド情報をマルチプレキシングするための手段。
【請求項３９】
請求項３４の装置であって、下記をさらに具備する：
該ワイド・エリア送信を同報通信するためのデータの量及び該ローカル送信を同報通信するためのデータの量に基づいて該第１の送信スパン及び第２の送信スパンを選択するための手段。
【請求項４０】
ワイアレス同報通信ネットワークにおいてデータを受信する方法であって、該方法は下記を具備する：
ワイド・エリア送信及びローカル送信からなる同報通信送信をワイアレス・リンクを介して受信すること、該ワイド・エリア送信は該ネットワーク内の複数の送信機から送られる、そして該ローカル送信は該複数の送信機のサブセットから送られる；
該ワイド・エリア送信が受信される場合に、第１の送信スパンから該ワイド・エリア送信のための該データをデマルチプレキシングすること；
該ローカル送信が受信される場合に、第２の送信スパンから該ローカル送信のための該データをデマルチプレキシングすること；
それぞれ多重周波数ネットワーク及び単一周波数ネットワークの異なる特性に基づいてローカル送信及びワイド・エリア送信、及びこれらに関係するパイロットを送信すること。
【請求項４１】
請求項４０の方法、ここにおいて、該ワイド・エリア送信のための該データは、該ローカル送信のための該データを用いて周波数分割マルチプレックス（ＦＤＭ）される、そしてここにおいて、該第１の送信スパン及び第２の送信スパンは、多重キャリア変調を用いて取得されたそれぞれ第１の周波数サブバンドのセット及び第２の周波数サブバンドのセットである。
【請求項４２】
請求項４０の方法、ここにおいて、該ワイド・エリア送信のための該データは、該ローカル送信のための該データを用いて時間分割マルチプレックス（ＴＤＭ）される、そしてここにおいて、該第１の送信スパン及び第２の送信スパンは、フレームのそれぞれ第１の時間セグメント及び第２の時間セグメントである。
【請求項４３】
請求項４２の方法、ここにおいて、該ワイド・エリア送信のための該第１の時間セグメントは、該ローカル送信のための該第２の時間セグメントの前である。
【請求項４４】
請求項４０の方法、ここにおいて、該ワイアレス同報通信ネットワークは、直交周波数分割マルチプレキシング（ＯＦＤＭ）を利用する。
【請求項４５】
請求項４４の方法、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含み、そしてここにおいて、第２の送信スパンは、フレームの第２の時間セグメント中のデータ送信のために使用可能な全ての周波数サブバンドを含む。
【請求項４６】
請求項４０の方法であって、下記をさらに具備する：
該ワイド・エリア送信が受信される場合に、第１の復調スキーム及びデコーディング・スキームにしたがって該ワイド・エリア送信のための該データを処理すること；及び
該ローカル送信が受信される場合に、第２の復調スキーム及びデコーディング・スキームにしたがって該ローカル送信のための該データを処理すること。
【請求項４７】
請求項４０の方法であって、下記をさらに具備する：
該ワイド・エリア送信が受信される場合に、第３の送信スパンから該ワイド・エリア送信に関するオーバーヘッド情報をデマルチプレキシングすること；及び
該ローカル送信が受信される場合に、第２の送信スパンから該ローカル送信に関するオーバーヘッド情報をデマルチプレキシングすること。
【請求項４８】
請求項４７の方法、ここにおいて、該ワイド・エリア送信に関する該オーバーヘッド情報は、該ワイド・エリア送信に対する各データ・チャネルの周波数及び時間位置を指示する、そしてここにおいて、該ローカル送信に関する該オーバーヘッド情報は、該ローカル送信に対する各データ・チャネルの周波数及び時間位置を指示する。
【請求項４９】
請求項４０の方法であって、下記をさらに具備する：
該ワイド・エリア送信が受信される場合に、
第３の送信スパンから第１のパイロットをデマルチプレキシングすること、
該第１のパイロットに基づいて該ワイド・エリア送信に対する第１のチャネル推定値を導出すること、及び
該第１のチャネル推定値を用いて該ワイド・エリア送信のための該データを処理すること。
【請求項５０】
請求項４９の方法であって、下記をさらに具備する：
該ローカル送信が受信される場合に、
第４の送信スパンから第２のパイロットをデマルチプレキシングすること、
該第２のパイロットに基づいて該ローカル送信に対する第２のチャネル推定値を導出すること、及び
該第２のチャネル推定値を用いて該ローカル送信のための該データを処理すること。
【請求項５１】
請求項５０の方法、ここにおいて、第１のチャネル推定値及び第２のチャネル推定値は、異なる長さを有する第１のインパルス応答推定値及び第２のインパルス応答推定値にそれぞれ関係付けられる。
【請求項５２】
請求項５１の方法であって、下記をさらに具備する：
第１の予め決められたしきい値より低い該第１のインパルス応答推定値のチャネル・タップをゼロにするスレショルディング（thresholding）を実行すること；及び
第２の予め決められたしきい値より低い該第２のインパルス応答推定値のチャネル・タップをゼロにするスレショルディングを実行すること。
【請求項５３】
請求項５２の方法、ここにおいて、該第１の予め決められたしきい値は、該第２の予め決められたしきい値に等しい。
【請求項５４】
請求項５０の方法であって、下記をさらに具備する：
該ワイド・エリア送信が受信される場合に、該第１のチャネル推定値を導出するために少なくとも１つの時間ドメイン・フィルタの第１のセットを用いて該第１のパイロットを処理すること；及び
該ローカル送信が受信される場合に、該第２のチャネル推定値を導出するために少なくとも１つの時間ドメイン・フィルタの第２のセットを用いて該第２のパイロットを処理すること。
【請求項５５】
請求項５４の方法、ここにおいて、少なくとも１つの時間ドメイン・フィルタの第１のセット及び第２のセットは、異なる長さ、異なる係数、又は異なる長さ及び異なる係数の両者を有する。
【請求項５６】
ワイアレス同報通信ネットワーク内のワイアレス装置であって、該装置は下記を具備する：
ワイド・エリア送信及びローカル送信からなる同報通信送信をワイアレス・リンクを介して適切に受信するための送信機ユニット、該ワイド・エリア送信は該ネットワーク内の複数の送信機から送られる、そして該ローカル送信は該複数の送信機のサブセットから送られる；
該ワイド・エリア送信が受信される場合に第１の送信スパンから該ワイド・エリア送信のためのデータを適切にデマルチプレキシングするため、及び該ローカル送信が受信される場合に第２の送信スパンから該ローカル送信のためのデータを適切にデマルチプレキシングするためのデマルチプレクサ；
それぞれ多重周波数ネットワーク及び単一周波数ネットワークの異なる特性に基づいてローカル送信及びワイド・エリア送信、及びこれらに関係するパイロットを送信すること。
【請求項５７】
請求項５６の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項５８】
請求項５６の装置であって、下記をさらに具備する：
該ワイド・エリア送信が受信される場合に第１の復調スキーム及びデコーディング・スキームにしたがって該ワイド・エリア送信のための該データを適切に処理するため、及び該ローカル送信が受信される場合に第２の復調スキーム及びデコーディング・スキームにしたがって該ローカル送信のための該データを適切に処理するためのデータ・プロセッサ。
【請求項５９】
請求項５６の装置、ここにおいて、該マルチプレクサは、さらに、該ワイド・エリア送信が受信される場合に第３の送信スパンから該ワイド・エリア送信に関するオーバーヘッド情報を適切にマルチプレックスし、及び該ローカル送信が受信される場合に第４の送信スパンから該ローカル送信に関するオーバーヘッド情報を適切にマルチプレックスする。
【請求項６０】
請求項５６の装置であって、下記をさらに具備する：
該ワイド・エリア送信が受信される場合に第３の送信スパンからデマルチプレックスされた第１のパイロットに基づいて該ワイド・エリア送信に対する第１のチャネル推定値を適切に導出するため、及び該ローカル送信が受信される場合に第４の送信スパンからデマルチプレックスされた第２のパイロットに基づいて該ローカル送信に対する第２のチャネル推定値を適切に導出するためのチャネル推定器；及び
該ワイド・エリア送信が受信される場合に該第１のチャネル推定値を用いて該ワイド・エリア送信のための該データを適切に処理するため及び該ローカル送信が受信される場合に該第２のチャネル推定値を用いて該ローカル送信のための該データを適切に処理するためのデモジュレータ。
【請求項６１】
請求項５６の装置、ここにおいて、該受信機ユニットは、１つの無線周波数に同調させることによって同時に該ワイド・エリア送信及び該ローカル送信を適切に受信する。
【請求項６２】
ワイアレス同報通信ネットワーク内のワイアレス・デバイスであって、該装置は下記を具備する：
ワイド・エリア送信及びローカル送信からなる同報通信送信をワイアレス・リンクを介して受信するための手段、該ワイド・エリア送信は該ネットワーク内の複数の送信機から送られる、そして該ローカル送信は該複数の送信機のサブセットから送られる；
該ワイド・エリア送信が受信される場合に、第１の送信スパンから該ワイド・エリア送信のための該データをデマルチプレキシングするための手段；
該ローカル送信が受信される場合に、第２の送信スパンから該ローカル送信のための該データをデマルチプレキシングするための手段；
それぞれ多重周波数ネットワーク及び単一周波数ネットワークの異なる特性に基づいてローカル送信及びワイド・エリア送信、及びこれらに関係するパイロットを送信すること。
【請求項６３】
請求項６２の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
【請求項６４】
請求項６２の装置であって、下記をさらに具備する：
該ワイド・エリア送信が受信される場合に第１の復調スキーム及びデコーディング・スキームにしたがって該ワイド・エリア送信のための該データを処理するための手段；及び
該ローカル送信が受信される場合に第２の復調スキーム及びデコーディング・スキームにしたがって該ローカル送信のための該データを処理するための手段。
【請求項６５】
請求項６２の装置であって、下記をさらに具備する：
該ワイド・エリア送信が受信される場合に第３の送信スパンから該ワイド・エリア送信に関するオーバーヘッド情報をデマルチプレキシングするための手段；及び
該ローカル送信が受信される場合に第４の送信スパンから該ローカル送信に関するオーバーヘッド情報をデマルチプレキシングするための手段。
【請求項６６】
請求項６２の装置であって、下記をさらに具備する：
該ワイド・エリア送信が受信される場合に第３の送信スパンから第１のパイロットをデマルチプレキシングするための手段；
該ローカル送信が受信される場合に第４の送信スパンから第２のパイロットをデマルチプレキシングするための手段；
該ワイド・エリア送信が受信される場合に該第１のパイロットに基づいて該ワイド・エリア送信に対する第１のチャネル推定値を導出するための手段；
該ローカル送信が受信される場合に該第２のパイロットに基づいて該ローカル送信に対する第２のチャネル推定値を導出するための手段；
該ワイド・エリア送信が受信される場合に該第１のチャネル推定値を用いて該ワイド・エリア送信のための該データを処理するための手段；及び
該ローカル送信が受信される場合に該第２のチャネル推定値を用いて該ローカル送信のための該データを処理するための手段。
【手続補正２】
【補正対象書類名】明細書
【補正対象項目名】０１００
【補正方法】変更
【補正の内容】
【０１００】
開示された複数の実施形態のこれまでの説明は、本技術分野に知識のあるいかなる者でも、本発明を作成し、使用することを可能にするために提供される。これらの実施形態に対する種々の変形は、当業者に容易に明らかにされるであろう。そして、本明細書中に規定された一般的な原理は、本発明の精神若しくは範囲から逸脱することなく、その他の実施形態に適用されることができる。それゆえ、本発明は、本明細書中に示された複数の実施形態に限定することを意図したものではなく、本明細書中に開示された原理及び新規な機能と整合する最も広い範囲に適用されるべきである。  
以下に、本願出願の当初の特許請求の範囲に記載された発明を付記する。
[１]ワイアレス同報通信ネットワークにおいてデータを同報通信する方法であって、該方法は下記を具備する：
第１の送信スパン上へとワイド・エリア送信のためのデータをマルチプレキシングすること、該ワイド・エリア送信は該ネットワーク内の複数の送信機から送られる；
第２の送信スパン上へとローカル送信のためのデータをマルチプレキシングすること、該ローカル送信は該複数の送信機のサブセットから送られる；及び
ワイアレス・リンクを介して該ローカル送信及びワイド・エリア送信を同報通信すること。
[２]上記[１]の方法、ここにおいて、異なるローカル送信は、該複数の送信機の異なるサブセットから送られる。
[３]上記[１]の方法、ここにおいて、異なるワイド・エリア送信は、異なる複数の送信機から送られる。
[４]上記[１]の方法であって、下記をさらに具備する：
第３の送信スパン上へとヴェニュー送信のためのデータをマルチプレキシングすること、該ヴェニュー送信は該複数の送信機の該サブセットのより小さなサブセットから送られる。
[５]上記[１]の方法、ここにおいて、該ワイド・エリア送信のための該データは、該ローカル送信のための該データを用いて時間分割マルチプレックス（ＴＤＭ）される、そしてここにおいて、該第１の送信スパン及び第２の送信スパンは、予め決められた時間期間のフレームのそれぞれ第１の時間セグメント及び第２の時間セグメントである。
[６]上記[１]の方法、ここにおいて、該ワイド・エリア送信のための該データは、該ローカル送信のための該データを用いて周波数分割マルチプレックス（ＦＤＭ）される、そしてここにおいて、該第１の送信スパン及び第２の送信スパンは、多重キャリア変調を用いて取得されたそれぞれ第１の周波数サブバンドのセット及び第２の周波数サブバンドのセットである。
[７]上記[１]の方法、ここにおいて、ワイアレス同報通信ネットワークは、直交周波数分割マルチプレキシング（ＯＦＤＭ）を利用する。
[８]上記[７]の方法、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含み、そしてここにおいて、第２の送信スパンは、フレームの第２の時間セグメント中のデータ送信のために使用可能な全ての周波数サブバンドを含む。
[９]上記[８]の方法、ここにおいて、該ローカル送信のための該データは、干渉を減少させるために全ての使用可能な周波数サブバンドよりも少ないサブバンド上へとマルチプレックスされる。
[１０]上記[９]の方法、ここにおいて、該複数の送信機の該サブセットからの該ローカル送信のための該データは、該複数の送信機の少なくとも１つの別のサブセットによって使用された周波数サブバンドに直交する周波数サブバンド上へとマルチプレックスされる。
[１１]上記[９]の方法、ここにおいて、該ローカル送信のための該データは、使用可能な全ての周波数サブバンドの中から擬似ランダムに選択された周波数サブバンド上へとマルチプレックスされる。
[１２]上記[１]の方法であって、下記をさらに具備する：
第１のコーディング・スキーム及び変調スキームにしたがって該ワイド・エリア送信のための該データを処理すること、ここにおいて、該ワイド・エリア送信のために該処理されたデータは、該第１の送信スパン上へとマルチプレックスされる；及び
第２のコーディング・スキーム及び変調スキームにしたがって該ローカル送信のための該データを処理すること、ここにおいて、該ローカル送信のために該処理されたデータは、該第２の送信スパン上へとマルチプレックスされる。
[１３]上記[１]２の方法、ここにおいて、該第１のコーディング・スキーム及び第２のコーディング・スキーム及び該第１の変調スキーム及び第２の変調スキームは、それぞれ該ワイド・エリア送信及びローカル送信に対する所望の交信可能範囲に基づいて選択される。
[１４]上記[１]２の方法、ここにおいて、該第２のコーディング・スキーム及び変調スキームは、該ローカル送信に対する交信可能範囲を拡張するために該第１のコーディング・スキーム及び変調スキームよりも低いスペクトル効率を有する。
[１５]上記[１]２の方法、ここにおいて、該第１のコーディング・スキーム及び変調スキームは、該第２のコーディング・スキーム及び変調スキームよりも低いスペクトル効率を有する。
[１６]上記[１]の方法であって、下記をさらに具備する：
その送信においてデータが送られる該送信及びデータ・タイプに基づいて該ワイド・エリア送信及びローカル送信のための該データを処理すること。
[１７]上記[１]の方法であって、下記をさらに具備する：
第３の送信スパン上へと第１のパイロットをマルチプレキシングすること、該第１のパイロットは該ワイド・エリア送信に対する第１のチャネル推定値を導出するために適している；及び
第４の送信スパン上へと第２のパイロットをマルチプレキシングすること、該第２のパイロットは、該ローカル送信に対する第２のチャネル推定値を導出するために適している。
[１８]上記[１]７の方法、ここにおいて、第１のパイロット及び第２のパイロットは、それぞれ異なるシンボル・ピリオド中の周波数サブバンドの異なるセット上へとマルチプレックスされる。
[１９]上記[８]の方法であって、下記をさらに具備する：
第１の時間セグメントの異なるシンボル・ピリオド中のパイロット送信のために使用される周波数サブバンドの異なるセット上へと第１のパイロットをマルチプレキシングすること、該第１のパイロットは該ワイド・エリア送信に関する第１のチャネル推定値を導出するために適している；及び
第２の時間セグメントの異なるシンボル・ピリオド中のパイロット送信のために使用される周波数サブバンドの異なるセット上へと第２のパイロットをマルチプレキシングすること、該第２のパイロットは該ローカル送信に関する第２のチャネル推定値を導出するために適している。
[２０]上記[１]７の方法であって、下記をさらに具備する：
該複数の送信機の該サブセットに指定された直交シーケンスを用いて該第２のパイロットを発生させること、ここにおいて、該複数の送信機の該サブセットに対する該第２のパイロットは、該複数の送信機の少なくとも１つの他のサブセットに対する少なくとも１つの他の第２のパイロットに直交する。
[２１]上記[１]７の方法であって、下記をさらに具備する：
該複数の送信機の該サブセットに指定された擬似ランダム・シーケンスを用いて該第２のパイロットを発生させること、ここにおいて、該複数の送信機の該サブセットに対する該第２のパイロットは、該複数の送信機の少なくとも１つの他のサブセットに対する少なくとも１つの他の第２のパイロットに関して擬似ランダムである。
[２２]上記[１]７の方法であって、下記をさらに具備する：
スケーリングされたシンボルを得るために該複数の送信機の該サブセットに指定された擬似ランダム・シーケンスと異なる周波数サブバンドに対する変調シンボルとを掛け算すること、ここにおいて、該擬似ランダム・シーケンスは、各シンボル・ピリオドに対して使用される；及び
該第２のパイロットを発生させるために該複数の送信機の該サブセットに指定された直交シーケンスと異なる周波数サブバンドに対する該スケーリングされたシンボルとを掛け算すること、ここにおいて、該複数の送信機の該サブセットに対する該第２のパイロットは、該複数の送信機の少なくとも１つの他のサブセットに対する少なくとも１つの他の第２のパイロットに関して周波数において擬似ランダムでありそして時間において直交する。
[２３]上記[１]の方法であって、下記をさらに具備する：
第３の送信スパン上へと該ワイド・エリア送信に関するオーバーヘッド情報をマルチプレキシングすること；及び
第４の送信スパン上へと該ローカル送信に関するオーバーヘッド情報をマルチプレキシングすること。
[２４]上記[２３]の方法、ここにおいて、該ワイド・エリア送信に関する該オーバーヘッド情報は、該ワイド・エリア送信に対する各データ・チャネルの周波数及び時間位置を指示する、及びここにおいて、該ローカル送信に関する該オーバーヘッド情報は、該ローカル送信に対する各データ・チャネルの周波数及び時間位置を指示する
[２５]上記[１]の方法であって、下記をさらに具備する：
該ワイド・エリア送信を同報通信するためのデータの量及び該ローカル送信を同報通信するためのデータの量に基づいて該第１の送信スパン及び第２の送信スパンを選択すること。
[２６]上記[１]の方法であって、下記をさらに具備する：
１日の時間に基づいて該第１の送信スパン及び第２の送信スパンを調節すること。
[２７]上記[１]の方法であって、下記をさらに具備する：
予め決められた計画に基づいて該第１の送信スパン及び第２の送信スパンを調節すること。
[２８]ワイアレス同報通信ネットワーク内の装置であって、該装置は下記を具備する：
第１の送信スパン上へとワイド・エリア送信のためのデータを適切に受信するためそしてマルチプレックスするため、及び第２の送信スパン上へとローカル送信のためのデータを適切に受信するためそしてマルチプレックスするためのマルチプレクサ、該ワイド・エリア送信は該ネットワーク内の複数の送信機から送られる、及び該ローカル送信は該複数の送信機のサブセットから送られる；及び
ワイアレス・リンクを介して該ローカル送信及びワイド・エリア送信を適切に同報通信するための送信機ユニット。
[２９]上記[２８]の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
[３０]上記[２８]の装置であって、下記をさらに具備する：
第１のコーディング・スキーム及び変調スキームにしたがって該ワイド・エリア送信のための該データを適切に処理するための第１のデータ・プロセッサ；及び
第２のコーディング・スキーム及び変調スキームにしたがって該ローカル送信のための該データを適切に処理するための第２のデータ・プロセッサ、そして
ここにおいて、該マルチプレクサは、第１の送信スパン上へと該ワイド・エリア送信のために該処理されたデータを適切にマルチプレックスし、及び第２の送信スパン上へと該ローカル送信のために該処理されたデータを適切にマルチプレックスする。
[３１]上記[３０]の装置、ここにおいて、該第１のデータ・プロセッサは、さらに、該ワイド・エリア送信に対する第１のチャネル推定値を導出するために適している第１のパイロットを適切に発生させる、ここにおいて、該第２のデータ・プロセッサは、さらに該ローカル送信に対する第２のチャネル推定値を導出するために適している第２のパイロットを適切に発生させる、そしてここにおいて、該マルチプレクサは、さらに第１のパイロットを第３の送信スパン上へと適切にマルチプレックスし、そして該第２のパイロットを第４の送信スパン上へと適切にマルチプレックスする。
[３２]上記[２８]の装置、ここにおいて、該マルチプレクサは、さらに、該ワイド・エリア送信に関するオーバーヘッド情報を第３の送信スパンへと適切にマルチプレックスし、そして該ローカル送信に関するオーバーヘッド情報を第４の送信スパンへと適切にマルチプレックスする。
[３３]上記[２８]の装置であって、下記をさらに具備する：
該ワイド・エリア送信を同報通信するためのデータの量及び該ローカル送信を同報通信するためのデータの量に基づいて該第１の送信スパン及び第２の送信スパンを適切に選択するためのコントローラ。
[３４]ワイアレス同報通信ネットワーク内の装置であって、該装置は下記を具備する：
第１の送信スパン上へとワイド・エリア送信のためのデータをマルチプレックスするための手段、該ワイド・エリア送信は該ネットワーク内の複数の送信機から送られる；
第２の送信スパン上へとローカル送信のためのデータをマルチプレックスするための手段、該ローカル送信は該複数の送信機のサブセットから送られる；及び
リンクを介して該ローカル送信及びワイド・エリア送信のためにマルチプレックスされたデータを同報通信するための手段。
[３５]上記[３４]の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
[３６]上記[３４]の装置であって、下記をさらに具備する：
第１のコーディング・スキーム及び変調スキームにしたがって該ワイド・エリア送信のための該データを処理するための手段、ここにおいて、該ワイド・エリア送信のために該処理されたデータは、第１の送信スパン上へとマルチプレックスされる；及び
第２のコーディング・スキーム及び変調スキームにしたがって該ローカル送信のための該データを処理するための手段、ここにおいて、該ローカル送信のために該処理されたデータは、第２の送信スパン上へとマルチプレックスされる。
[３７]上記[３４]の装置であって、下記をさらに具備する：
第３の送信スパン上へと第１のパイロットをマルチプレキシングするための手段、該第１のパイロットは該ワイド・エリア送信に対する第１のチャネル推定値を導出するために適している；及び
第４の送信スパン上へと第２のパイロットをマルチプレキシングするための手段、該第２のパイロットは該ローカル送信に対する第２のチャネル推定値を導出するために適している。
[３８]上記[３４]の装置であって、下記をさらに具備する：
第３の送信スパン上へと該ワイド・エリア送信に関するオーバーヘッド情報をマルチプレキシングするための手段；及び
第４の送信スパン上へと該ローカル送信に関するオーバーヘッド情報をマルチプレキシングするための手段。
[３９]上記[３４]の装置であって、下記をさらに具備する：
該ワイド・エリア送信を同報通信するためのデータの量及び該ローカル送信を同報通信するためのデータの量に基づいて該第１の送信スパン及び第２の送信スパンを選択するための手段。
[４０]ワイアレス同報通信ネットワークにおいてデータを受信する方法であって、該方法は下記を具備する：
ワイド・エリア送信及びローカル送信からなる同報通信送信をワイアレス・リンクを介して受信すること、該ワイド・エリア送信は該ネットワーク内の複数の送信機から送られる、そして該ローカル送信は該複数の送信機のサブセットから送られる；
該ワイド・エリア送信が受信される場合に、第１の送信スパンから該ワイド・エリア送信のための該データをデマルチプレキシングすること；及び
該ローカル送信が受信される場合に、第２の送信スパンから該ローカル送信のための該データをデマルチプレキシングすること。
[４１]上記[４０]の方法、ここにおいて、該ワイド・エリア送信のための該データは、該ローカル送信のための該データを用いて周波数分割マルチプレックス（ＦＤＭ）される、そしてここにおいて、該第１の送信スパン及び第２の送信スパンは、多重キャリア変調を用いて取得されたそれぞれ第１の周波数サブバンドのセット及び第２の周波数サブバンドのセットである。
[４２]上記[４０]の方法、ここにおいて、該ワイド・エリア送信のための該データは、該ローカル送信のための該データを用いて時間分割マルチプレックス（ＴＤＭ）される、そしてここにおいて、該第１の送信スパン及び第２の送信スパンは、フレームのそれぞれ第１の時間セグメント及び第２の時間セグメントである。
[４３]上記[４２]の方法、ここにおいて、該ワイド・エリア送信のための該第１の時間セグメントは、該ローカル送信のための該第２の時間セグメントの前である。
[４４]上記[４０]の方法、ここにおいて、該ワイアレス同報通信ネットワークは、直交周波数分割マルチプレキシング（ＯＦＤＭ）を利用する。
[４５]上記[４４]の方法、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含み、そしてここにおいて、第２の送信スパンは、フレームの第２の時間セグメント中のデータ送信のために使用可能な全ての周波数サブバンドを含む。
[４６]上記[４０]の方法であって、下記をさらに具備する：
該ワイド・エリア送信が受信される場合に、第１の復調スキーム及びデコーディング・スキームにしたがって該ワイド・エリア送信のための該データを処理すること；及び
該ローカル送信が受信される場合に、第２の復調スキーム及びデコーディング・スキームにしたがって該ローカル送信のための該データを処理すること。
[４７]上記[４０]の方法であって、下記をさらに具備する：
該ワイド・エリア送信が受信される場合に、第３の送信スパンから該ワイド・エリア送信に関するオーバーヘッド情報をデマルチプレキシングすること；及び
該ローカル送信が受信される場合に、第２の送信スパンから該ローカル送信に関するオーバーヘッド情報をデマルチプレキシングすること。
[４８]上記[４７]の方法、ここにおいて、該ワイド・エリア送信に関する該オーバーヘッド情報は、該ワイド・エリア送信に対する各データ・チャネルの周波数及び時間位置を指示する、そしてここにおいて、該ローカル送信に関する該オーバーヘッド情報は、該ローカル送信に対する各データ・チャネルの周波数及び時間位置を指示する。
[４９]上記[４０]の方法であって、下記をさらに具備する：
該ワイド・エリア送信が受信される場合に、
第３の送信スパンから第１のパイロットをデマルチプレキシングすること、
該第１のパイロットに基づいて該ワイド・エリア送信に対する第１のチャネル推定値を導出すること、及び
該第１のチャネル推定値を用いて該ワイド・エリア送信のための該データを処理すること。
[５０]上記[４９]の方法であって、下記をさらに具備する：
該ローカル送信が受信される場合に、
第４の送信スパンから第２のパイロットをデマルチプレキシングすること、
該第２のパイロットに基づいて該ローカル送信に対する第２のチャネル推定値を導出すること、及び
該第２のチャネル推定値を用いて該ローカル送信のための該データを処理すること。
[５１]上記[５０]の方法、ここにおいて、第１のチャネル推定値及び第２のチャネル推定値は、異なる長さを有する第１のインパルス応答推定値及び第２のインパルス応答推定値にそれぞれ関係付けられる。
[５２]上記[５１]の方法であって、下記をさらに具備する：
第１の予め決められたしきい値より低い該第１のインパルス応答推定値のチャネル・タップをゼロにするスレショルディング（thresholding）を実行すること；及び
第２の予め決められたしきい値より低い該第２のインパルス応答推定値のチャネル・タップをゼロにするスレショルディングを実行すること。
[５３]上記[５２]の方法、ここにおいて、該第１の予め決められたしきい値は、該第２の予め決められたしきい値に等しい。
[５４]上記[５０]の方法であって、下記をさらに具備する：
該ワイド・エリア送信が受信される場合に、該第１のチャネル推定値を導出するために少なくとも１つの時間ドメイン・フィルタの第１のセットを用いて該第１のパイロットを処理すること；及び
該ローカル送信が受信される場合に、該第２のチャネル推定値を導出するために少なくとも１つの時間ドメイン・フィルタの第２のセットを用いて該第２のパイロットを処理すること。
[５５]上記[５４]の方法、ここにおいて、少なくとも１つの時間ドメイン・フィルタの第１のセット及び第２のセットは、異なる長さ、異なる係数、又は異なる長さ及び異なる係数の両者を有する。
[５６]ワイアレス同報通信ネットワーク内のワイアレス装置であって、該装置は下記を具備する：
ワイド・エリア送信及びローカル送信からなる同報通信送信をワイアレス・リンクを介して適切に受信するための送信機ユニット、該ワイド・エリア送信は該ネットワーク内の複数の送信機から送られる、そして該ローカル送信は該複数の送信機のサブセットから送られる；及び
該ワイド・エリア送信が受信される場合に第１の送信スパンから該ワイド・エリア送信のためのデータを適切にデマルチプレキシングするため、及び該ローカル送信が受信される場合に第２の送信スパンから該ローカル送信のためのデータを適切にデマルチプレキシングするためのデマルチプレクサ。
[５７]上記[５６]の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
[５８]上記[５６]の装置であって、下記をさらに具備する：
該ワイド・エリア送信が受信される場合に第１の復調スキーム及びデコーディング・スキームにしたがって該ワイド・エリア送信のための該データを適切に処理するため、及び該ローカル送信が受信される場合に第２の復調スキーム及びデコーディング・スキームにしたがって該ローカル送信のための該データを適切に処理するためのデータ・プロセッサ。
[５９]上記[５６]の装置、ここにおいて、該マルチプレクサは、さらに、該ワイド・エリア送信が受信される場合に第３の送信スパンから該ワイド・エリア送信に関するオーバーヘッド情報を適切にマルチプレックスし、及び該ローカル送信が受信される場合に第４の送信スパンから該ローカル送信に関するオーバーヘッド情報を適切にマルチプレックスする。
[６０]上記[５６]の装置であって、下記をさらに具備する：
該ワイド・エリア送信が受信される場合に第３の送信スパンからデマルチプレックスされた第１のパイロットに基づいて該ワイド・エリア送信に対する第１のチャネル推定値を適切に導出するため、及び該ローカル送信が受信される場合に第４の送信スパンからデマルチプレックスされた第２のパイロットに基づいて該ローカル送信に対する第２のチャネル推定値を適切に導出するためのチャネル推定器；及び
該ワイド・エリア送信が受信される場合に該第１のチャネル推定値を用いて該ワイド・エリア送信のための該データを適切に処理するため及び該ローカル送信が受信される場合に該第２のチャネル推定値を用いて該ローカル送信のための該データを適切に処理するためのデモジュレータ。
[６１]上記[５６]の装置、ここにおいて、該受信機ユニットは、１つの無線周波数に同調させることによって同時に該ワイド・エリア送信及び該ローカル送信を適切に受信する。
[６２]ワイアレス同報通信ネットワーク内のワイアレス・デバイスであって、該装置は下記を具備する：
ワイド・エリア送信及びローカル送信からなる同報通信送信をワイアレス・リンクを介して受信するための手段、該ワイド・エリア送信は該ネットワーク内の複数の送信機から送られる、そして該ローカル送信は該複数の送信機のサブセットから送られる；
該ワイド・エリア送信が受信される場合に、第１の送信スパンから該ワイド・エリア送信のための該データをデマルチプレキシングするための手段；及び
該ローカル送信が受信される場合に、第２の送信スパンから該ローカル送信のための該データをデマルチプレキシングするための手段。
[６３]上記[６２]の装置、ここにおいて、該ワイアレス同報通信ネットワークは、直交周波数分割マルチプレキシング（ＯＦＤＭ）を利用する、ここにおいて、該ワイド・エリア送信のための該データは、該ローカル送信のための該データを用いて時間分割マルチプレックス（ＴＤＭ）される、ここにおいて、該第１の送信スパンは、フレームの第１の時間セグメント中のデータ送信のために使用可能な全ての周波数サブバンドを含む、及びここにおいて、該第２の送信スパンは、フレームの第２の時間セグメント中のデータ送信のために使用可能な全ての周波数サブバンドを含む。
[６４]上記[６２]の装置であって、下記をさらに具備する：
該ワイド・エリア送信が受信される場合に第１の復調スキーム及びデコーディング・スキームにしたがって該ワイド・エリア送信のための該データを処理するための手段；及び
該ローカル送信が受信される場合に第２の復調スキーム及びデコーディング・スキームにしたがって該ローカル送信のための該データを処理するための手段。
[６５]上記[６２]の装置であって、下記をさらに具備する：
該ワイド・エリア送信が受信される場合に第３の送信スパンから該ワイド・エリア送信に関するオーバーヘッド情報をデマルチプレキシングするための手段；及び
該ローカル送信が受信される場合に第４の送信スパンから該ローカル送信に関するオーバーヘッド情報をデマルチプレキシングするための手段。
[６６]上記[６２]の装置であって、下記をさらに具備する：
該ワイド・エリア送信が受信される場合に第３の送信スパンから第１のパイロットをデマルチプレキシングするための手段；
該ローカル送信が受信される場合に第４の送信スパンから第２のパイロットをデマルチプレキシングするための手段；
該ワイド・エリア送信が受信される場合に該第１のパイロットに基づいて該ワイド・エリア送信に対する第１のチャネル推定値を導出するための手段；
該ローカル送信が受信される場合に該第２のパイロットに基づいて該ローカル送信に対する第２のチャネル推定値を導出するための手段；
該ワイド・エリア送信が受信される場合に該第１のチャネル推定値を用いて該ワイド・エリア送信のための該データを処理するための手段；及び
該ローカル送信が受信される場合に該第２のチャネル推定値を用いて該ローカル送信のための該データを処理するための手段。
【外国語明細書】
2010226735000001.pdf